(57)【要約】本発明は無線通信システムにおいて、端末が参照信号を受信する方法に関する。特に、この方法は、第１送信時間間隔(Ｔｒａｎｓｍｉｓｓｉｏｎ Ｔｉｍｅ Ｉｎｔｅｒｖａｌ；ＴＴＩ)で、下りリンクデータをスケジュールするための下りリンク制御情報(Ｄｏｗｎｌｉｎｋ Ｃｏｎｔｒｏｌ Ｉｎｆｏｒｍａｔｉｏｎ；ＤＣＩ)を受信し、ＤＣＩから下りリンクデータがスケジュールされる第１ＴＴＩに参照信号が含まれるか否かに関する情報を得、第１ＴＴＩに参照信号が含まれるか否かに関する情報に基づいて第１ＴＴＩで第１ＴＴＩのための参照信号を受信することを特徴とし、下りリンクデータが第１ＴＴＩ及び少なくとも１つの第２ＴＴＩで繰り返し送信されるようにスケジュールされることに基づいて、少なくとも１つの第２ＴＴＩの各々で少なくとも１つの第２ＴＴＩの各々のための参照信号が受信される。【選択図】図１６
2020529787.tif 000002
【特許請求の範囲】
【請求項１】
無線通信システムにおいて、端末が参照信号を受信する方法であって、
第１送信時間間隔(Ｔｒａｎｓｍｉｓｓｉｏｎ Ｔｉｍｅ Ｉｎｔｅｒｖａｌ；ＴＴＩ)で、下りリンクデータをスケジュールするための下りリンク制御情報(Ｄｏｗｎｌｉｎｋ Ｃｏｎｔｒｏｌ Ｉｎｆｏｒｍａｔｉｏｎ；ＤＣＩ)を受信し、
前記ＤＣＩから前記下りリンクデータがスケジュールされる前記第１ＴＴＩに前記参照信号が含まれるか否かに関する情報を得、
前記第１ＴＴＩに前記参照信号が含まれるか否かに関する情報に基づいて前記第１ＴＴＩで前記第１ＴＴＩのための参照信号を受信することを特徴とし、
前記下りリンクデータが第１ＴＴＩ及び少なくとも１つの第２ＴＴＩで繰り返し送信されるようにスケジュールされることに基づいて、
前記少なくとも１つの第２ＴＴＩの各々で前記少なくとも１つの第２ＴＴＩの各々のための参照信号が受信される、参照信号受信方法。
【請求項２】
前記第１ＴＴＩに前記参照信号が含まれるか否かに関する情報は固定された値を含む、請求項１に記載の参照信号受信方法。
【請求項３】
前記第１ＴＴＩに前記参照信号が含まれるか否かに関する情報に含まれる固定値は、前記第１ＴＴＩに前記第１ＴＴＩのための参照信号が含まれることを知らせるためのものである、請求項２に記載の参照信号受信方法。
【請求項４】
さらに前記第１ＴＴＩ及び前記少なくとも１つの第２ＴＴＩで前記下りリンクデータが繰り返し送信されるようにスケジューリンクされた回数に関する情報を得ることを含む、請求項１に記載の参照信号受信方法。
【請求項５】
前記下りリンクデータが前記第１ＴＴＩ及び前記少なくとも１つの第２ＴＴＩで繰り返し送信されるようにスケジュールされることに基づいて、前記下りリンクデータが繰り返し送信されるようにスケジュールされた回数は１を超える、請求項４に記載の参照信号受信方法。
【請求項６】
前記第１ＴＴＩ及び前記少なくとも１つの第２ＴＴＩは短いＴＴＩ(Ｓｈｏｒｔ ＴＴＩ)である、請求項１に記載の参照信号受信方法。
【請求項７】
前記少なくとも１つの第２ＴＴＩは前記第１ＴＴＩと時間的に連続して配列された少なくとも１つのＴＴＩを含む、請求項１に記載の参照信号受信方法。
【請求項８】
無線通信システムにおいて、参照信号を受信するための装置であって、
少なくとも１つのプロセッサと、
前記少なくとも１つのプロセッサに動作可能に接続される少なくとも１つのコンピューターメモリを含み、
前記少なくとも１つのプロセッサは、
第１送信時間間隔(Ｔｒａｎｓｍｉｓｓｉｏｎ Ｔｉｍｅ Ｉｎｔｅｒｖａｌ；ＴＴＩ)で、下りリンクデータをスケジュールするための下りリンク制御情報(Ｄｏｗｎｌｉｎｋ Ｃｏｎｔｒｏｌ Ｉｎｆｏｒｍａｔｉｏｎ；ＤＣＩ)を受信し、
前記ＤＣＩから前記下りリンクデータがスケジュールされる前記第１ＴＴＩに前記参照信号が含まれるか否かに関する情報を得、
前記第１ＴＴＩに前記参照信号が含まれるか否かに関する情報に基づいて前記第１ＴＴＩで前記第１ＴＴＩのための参照信号を受信するように制御することを特徴とし、
前記下りリンクデータが第１ＴＴＩ及び少なくとも１つの第２ＴＴＩで繰り返し送信されるようにスケジュールされることに基づいて、前記少なくとも１つの第２ＴＴＩの各々で前記少なくとも１つの第２ＴＴＩの各々のための参照信号が受信される、装置。
【請求項９】
前記第１ＴＴＩに前記参照信号が含まれるか否かに関する情報は固定された値を含む、請求項８に記載の装置。
【請求項１０】
前記第１ＴＴＩに前記参照信号が含まれるか否かに関する情報に含まれる固定値は、前記第１ＴＴＩに前記第１ＴＴＩのための参照信号が含まれることを知らせるためのものである、請求項９に記載の装置。
【請求項１１】
さらに前記第１ＴＴＩ及び前記少なくとも１つの第２ＴＴＩで前記下りリンクデータが繰り返し送信されるようにスケジューリンクされた回数に関する情報を得ることを含む、請求項８に記載の装置。
【請求項１２】
前記下りリンクデータが前記第１ＴＴＩ及び前記少なくとも１つの第２ＴＴＩで繰り返し送信されるようにスケジュールされることに基づいて、前記下りリンクデータが繰り返し送信されるようにスケジュールされた回数は１を超える、請求項１１に記載の装置。
【請求項１３】
前記第１ＴＴＩ及び前記少なくとも１つの第２ＴＴＩは短いＴＴＩ(Ｓｈｏｒｔ ＴＴＩ)である、請求項８に記載の装置。
【請求項１４】
前記少なくとも１つの第２ＴＴＩは前記第１ＴＴＩと時間的に連続して配列された少なくとも１つのＴＴＩを含む、請求項８に記載の装置。
【請求項１５】
無線通信システムにおいて、基地局が参照信号を送信する方法であって、
第１送信時間間隔(Ｔｒａｎｓｍｉｓｓｉｏｎ Ｔｉｍｅ Ｉｎｔｅｒｖａｌ；ＴＴＩ)で、前記第１ＴＴＩに前記参照信号が含まれるか否かに関する情報を含む下りリンク制御情報(Ｄｏｗｎｌｉｎｋ Ｃｏｎｔｒｏｌ Ｉｎｆｏｒｍａｔｉｏｎ；ＤＣＩ)を送信し、
前記参照信号が含まれるか否かに関する情報に基づいて前記第１ＴＴＩで前記参照信号を送信することを特徴とし、
前記ＤＣＩは、下りリンクデータをスケジュールするためのものであり、
前記下りリンクデータが第１ＴＴＩ及び少なくとも１つの第２ＴＴＩで繰り返し送信されるようにスケジュールされることに基づいて、前記少なくとも１つの第２ＴＴＩの各々で前記少なくとも１つの第２ＴＴＩの各々のための参照信号が送信される、参照信号送信方法。
【請求項１６】
無線通信システムにおいて、参照信号を受信するための端末であって、
少なくとも１つのトランシーバーと、
少なくとも１つのプロセッサと、
前記少なくとも１つのプロセッサに動作可能に接続される少なくとも１つのコンピューターメモリを含み、
前記少なくとも１つのプロセッサは、
第１送信時間間隔(Ｔｒａｎｓｍｉｓｓｉｏｎ Ｔｉｍｅ Ｉｎｔｅｒｖａｌ；ＴＴＩ)で、下りリンクデータをスケジュールするための下りリンク制御情報(Ｄｏｗｎｌｉｎｋ Ｃｏｎｔｒｏｌ Ｉｎｆｏｒｍａｔｉｏｎ；ＤＣＩ)を受信するようにトランシーバーを制御し、
前記ＤＣＩから前記下りリンクデータがスケジュールされる前記第１ＴＴＩに前記参照信号が含まれるか否かに関する情報を得、
前記第１ＴＴＩに前記参照信号が含まれるか否かに関する情報に基づいて前記第１ＴＴＩで前記第１ＴＴＩのための参照信号を受信するように前記少なくも１つのトランシーバーを制御することを特徴とし、
前記下りリンクデータが第１ＴＴＩ及び少なくとも１つの第２ＴＴＩで繰り返し送信されるようにスケジュールされることに基づいて、前記少なくとも１つの第２ＴＴＩの各々で前記少なくとも１つの第２ＴＴＩの各々のための参照信号が受信される、端末。
【請求項１７】
無線通信システムにおいて、参照信号を送信するための基地局であって、
少なくとも１つのトランシーバーと、
少なくとも１つのプロセッサと、
前記少なくとも１つのプロセッサに動作可能に接続される少なくとも１つのコンピューターメモリを含み、
前記少なくとも１つのプロセッサは、
第１送信時間間隔(Ｔｒａｎｓｍｉｓｓｉｏｎ Ｔｉｍｅ Ｉｎｔｅｒｖａｌ；ＴＴＩ)で、前記第１ＴＴＩに前記参照信号が含まれるか否かに関する情報を含む下りリンク制御情報(Ｄｏｗｎｌｉｎｋ Ｃｏｎｔｒｏｌ Ｉｎｆｏｒｍａｔｉｏｎ；ＤＣＩ)を送信するように前記少なくとも１つのトランシーバーを制御し、
前記参照信号が含まれるか否かに関する情報に基づいて前記第１ＴＴＩで前記参照信号を送信するように前記少なくとも１つのトランシーバーを制御することを特徴とし、
前記ＤＣＩは、下りリンクデータをスケジュールするためのものであり、
前記下りリンクデータが第１ＴＴＩ及び少なくとも１つの第２ＴＴＩで繰り返し送信されるようにスケジュールされることに基づいて、前記少なくとも１つの第２ＴＴＩの各々で前記少なくとも１つの第２ＴＴＩの各々のための参照信号が送信される、基地局。
【発明の詳細な説明】
【技術分野】
【０００１】
本発明は無線通信システムにおいて参照信号を送受信する方法及びそのための装置に関する。
【背景技術】
【０００２】
無線通信技術はユーザと事業者の要求と期待が増す一方である。このために、ビット当たりのコストの削減、サービス可用性の増大、柔軟な周波数バンドの使用、単純構造と開放型インターフェース、端末の適度な電力消耗などの新しい接続技術が要求されている。
【発明の概要】
【発明が解決しようとする課題】
【０００３】
本発明は参照信号を送受信する方法及びそのための装置を提供する。
【０００４】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００５】
本発明の実施例による無線通信システムにおいて、端末が参照信号を受信する方法であって、第１送信時間間隔(Ｔｒａｎｓｍｉｓｓｉｏｎ Ｔｉｍｅ Ｉｎｔｅｒｖａｌ；ＴＴＩ)で、下りリンクデータをスケジュールするための下りリンク制御情報(Ｄｏｗｎｌｉｎｋ Ｃｏｎｔｒｏｌ Ｉｎｆｏｒｍａｔｉｏｎ；ＤＣＩ)を受信し、ＤＣＩから下りリンクデータがスケジュールされる第１ＴＴＩに参照信号が含まれるか否かに関する情報を得、第１ＴＴＩに参照信号が含まれるか否かに関する情報に基づいて第１ＴＴＩで第１ＴＴＩのための参照信号を受信することを特徴とし、下りリンクデータが第１ＴＴＩ及び少なくとも１つの第２ＴＴＩで繰り返し送信されるようにスケジュールされることに基づいて、少なくとも１つの第２ＴＴＩの各々で少なくとも１つの第２ＴＴＩの各々のための参照信号が受信される。
【０００６】
この時、第１ＴＴＩに参照信号が含まれるか否かに関する情報は固定された値を含む。
【０００７】
第１ＴＴＩに参照信号が含まれるか否かに関する情報に含まれる固定値は、第１ＴＴＩに第１ＴＴＩのための参照信号が含まれることを知らせるためのものである。
【０００８】
さらに第１ＴＴＩ及び少なくとも１つの第２ＴＴＩで下りリンクデータが繰り返し送信されるようにスケジューリンクされた回数に関する情報を得ることを含む。
【０００９】
下りリンクデータが第１ＴＴＩ及び少なくとも１つの第２ＴＴＩで繰り返し送信されるようにスケジュールされることに基づいて、下りリンクデータが繰り返し送信されるようにスケジュールされた回数は１を超える。
【００１０】
第１ＴＴＩ及び少なくとも１つの第２ＴＴＩは短いＴＴＩ(Ｓｈｏｒｔ ＴＴＩ)である。
【００１１】
少なくとも１つの第２ＴＴＩは第１ＴＴＩと時間的に連続して配列された少なくとも１つのＴＴＩを含む。
【００１２】
本発明による無線通信システムにおいて、参照信号を受信するための装置であって、少なくとも１つのプロセッサと、少なくとも１つのプロセッサに動作可能に接続される少なくとも１つのコンピューターメモリを含み、少なくとも１つのプロセッサは、第１送信時間間隔(Ｔｒａｎｓｍｉｓｓｉｏｎ Ｔｉｍｅ Ｉｎｔｅｒｖａｌ；ＴＴＩ)で、下りリンクデータをスケジュールするための下りリンク制御情報(Ｄｏｗｎｌｉｎｋ Ｃｏｎｔｒｏｌ Ｉｎｆｏｒｍａｔｉｏｎ；ＤＣＩ)を受信し、ＤＣＩから下りリンクデータがスケジュールされる第１ＴＴＩに参照信号が含まれるか否かに関する情報を得、第１ＴＴＩに参照信号が含まれるか否かに関する情報に基づいて第１ＴＴＩで第１ＴＴＩのための参照信号を受信するように制御することを特徴とし、下りリンクデータが第１ＴＴＩ及び少なくとも１つの第２ＴＴＩで繰り返し送信されるようにスケジュールされることに基づいて、少なくとも１つの第２ＴＴＩの各々で少なくとも１つの第２ＴＴＩの各々のための参照信号が受信される。
【００１３】
第１ＴＴＩに参照信号が含まれるか否かに関する情報は固定された値を含む。
【００１４】
第１ＴＴＩに参照信号が含まれるか否かに関する情報に含まれる固定値は、第１ＴＴＩに第１ＴＴＩのための参照信号が含まれることを知らせるためのものである。
【００１５】
さらに第１ＴＴＩ及び少なくとも１つの第２ＴＴＩで下りリンクデータが繰り返し送信されるようにスケジューリンクされた回数に関する情報を得ることを含む。
【００１６】
下りリンクデータが第１ＴＴＩ及び少なくとも１つの第２ＴＴＩで繰り返し送信されるようにスケジュールされることに基づいて、下りリンクデータが繰り返し送信されるようにスケジュールされた回数は１を超える。
【００１７】
第１ＴＴＩ及び少なくとも１つの第２ＴＴＩは短いＴＴＩ(Ｓｈｏｒｔ ＴＴＩ)である。
【００１８】
少なくとも１つの第２ＴＴＩは第１ＴＴＩと時間的に連続して配列された少なくとも１つのＴＴＩを含む。
【００１９】
本発明の実施例による無線通信システムにおいて、基地局が参照信号を送信する方法であって、第１送信時間間隔(Ｔｒａｎｓｍｉｓｓｉｏｎ Ｔｉｍｅ Ｉｎｔｅｒｖａｌ；ＴＴＩ)で、第１ＴＴＩに参照信号が含まれるか否かに関する情報を含む下りリンク制御情報(Ｄｏｗｎｌｉｎｋ Ｃｏｎｔｒｏｌ Ｉｎｆｏｒｍａｔｉｏｎ；ＤＣＩ)を送信し、参照信号が含まれるか否かに関する情報に基づいて第１ＴＴＩで参照信号を送信することを特徴とし、ＤＣＩは、下りリンクデータをスケジュールするためのものであり、下りリンクデータが第１ＴＴＩ及び少なくとも１つの第２ＴＴＩで繰り返し送信されるようにスケジュールされることに基づいて、少なくとも１つの第２ＴＴＩの各々で少なくとも１つの第２ＴＴＩの各々のための参照信号が送信される。
【００２０】
本発明による無線通信システムにおいて、参照信号を受信するための端末であって、少なくとも１つのトランシーバーと、少なくとも１つのプロセッサと、少なくとも１つのプロセッサに動作可能に接続される少なくとも１つのコンピューターメモリを含み、少なくとも１つのプロセッサは、第１送信時間間隔(Ｔｒａｎｓｍｉｓｓｉｏｎ Ｔｉｍｅ Ｉｎｔｅｒｖａｌ；ＴＴＩ)で、下りリンクデータをスケジュールするための下りリンク制御情報(Ｄｏｗｎｌｉｎｋ Ｃｏｎｔｒｏｌ Ｉｎｆｏｒｍａｔｉｏｎ；ＤＣＩ)を受信するようにトランシーバーを制御し、ＤＣＩから下りリンクデータがスケジュールされる第１ＴＴＩに参照信号が含まれるか否かに関する情報を得、第１ＴＴＩに参照信号が含まれるか否かに関する情報に基づいて第１ＴＴＩで第１ＴＴＩのための参照信号を受信するように制御することを特徴とし、下りリンクデータが第１ＴＴＩ及び少なくとも１つの第２ＴＴＩで繰り返し送信されるようにスケジュールされることに基づいて、少なくとも１つの第２ＴＴＩの各々で少なくとも１つの第２ＴＴＩの各々のための参照信号が受信される。
【００２１】
本発明による無線通信システムにおいて、参照信号を送信するための基地局であって、少なくとも１つのトランシーバーと、少なくとも１つのプロセッサと、少なくとも１つのプロセッサに動作可能に接続される少なくとも１つのコンピューターメモリを含み、少なくとも１つのプロセッサは、第１送信時間間隔(Ｔｒａｎｓｍｉｓｓｉｏｎ Ｔｉｍｅ Ｉｎｔｅｒｖａｌ；ＴＴＩ)で、第１ＴＴＩに参照信号が含まれるか否かに関する情報を含む下りリンク制御情報(Ｄｏｗｎｌｉｎｋ Ｃｏｎｔｒｏｌ Ｉｎｆｏｒｍａｔｉｏｎ；ＤＣＩ)を送信するようにトランシーバーを制御し、参照信号が含まれるか否かに関する情報に基づいて第１ＴＴＩで参照信号を送信するようにトランシーバーを制御することを特徴とし、ＤＣＩは、下りリンクデータをスケジュールするためのものであり、下りリンクデータが第１ＴＴＩ及び少なくとも１つの第２ＴＴＩで繰り返し送信されるようにスケジュールされることに基づいて、少なくとも１つの第２ＴＴＩの各々で少なくとも１つの第２ＴＴＩの各々のための参照信号が送信される。
【発明の効果】
【００２２】
本発明によれば、繰り返し送信されるデータの特性に合わせて、高い信頼性及び低い遅延時間でデータが繰り返し送信されるように参照信号を共有(ｓｈａｒｉｎｇ)することができる。
【００２３】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００２４】
【図１】無線通信システムの一例を示す図である。
【図２】無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ)及びユーザ平面(Ｕｓｅｒ Ｐｌａｎｅ)構造の一例を示す図である。
【図３】３ＧＰＰシステムに用いられる物理チャネル及びこれらを用いた信号送信方法を説明する図である。
【図４】無線フレームの構造を例示する図である。
【図５】下りリンク無線フレームの構造を例示する図である。
【図６】下りリンク制御チャネルを構成する時に使用されるリソース単位を示す図である。
【図７】上りリンクサブフレームの構造を示す図である。
【図８】１つのリソースブロック双でのＣＲＳ及びＤＲＳのパターンの例示を示す図である。
【図９】ＤＭＲＳパターンの一例を示す図である。
【図１０】ＣＳＩ−ＲＳパターンの例示を示す図である。
【図１１】短いＴＴＩ(Ｓｈｏｒｔ ｔｒａｎｓｍｉｓｓｉｏｎ Ｔｉｍｅ Ｉｎｔｅｒｖａｌ)の構造を説明する図である。
【図１２】繰り返し送信されるＰＤＳＣＨ(Ｐｈｙｓｉｃａｌ Ｄｏｗｎｌｉｎｋ Ｓｈａｒｉｎｇ Ｃｈａｎｎｅｌ)がスケジュールされる例示を説明する図である。
【図１３】本発明による端末、基地局及びネットワーク動作を説明する図である。
【図１４】本発明による端末、基地局及びネットワーク動作を説明する図である。
【図１５】本発明による端末、基地局及びネットワーク動作を説明する図である。
【図１６】本発明の実施例によるＤＭＲＳ(Ｄｅｍｏｄｕｌａｔｉｏｎ Ｒｅｆｅｒｅｎｃｅ Ｓｉｇｎａｌ)を共有(ｓｈａｒｉｎｇ)する例示を説明する図である。
【図１７】本発明の実施例によるＤＭＲＳ(Ｄｅｍｏｄｕｌａｔｉｏｎ Ｒｅｆｅｒｅｎｃｅ Ｓｉｇｎａｌ)を共有(ｓｈａｒｉｎｇ)する例示を説明する図である。
【図１８】本発明の実施例によるＤＭＲＳ(Ｄｅｍｏｄｕｌａｔｉｏｎ Ｒｅｆｅｒｅｎｃｅ Ｓｉｇｎａｌ)を共有(ｓｈａｒｉｎｇ)する例示を説明する図である。
【図１９】本発明を行う無線装置の構成要素を示すブロック図である。
【発明を実施するための形態】
【００２５】
本発明では、参照信号を送受信する具現例について開示する。特に、データが繰り返して送信される複数の送信時間間隔(Ｔｒａｎｓｍｉｓｓｉｏｎ Ｔｉｍｅ Ｉｎｔｅｒｖａｌ；ＴＴＩ)で基準信号(ＲＳ)を共有できる具現例について開示する。
【００２６】
この明細書に記載したように、"ＲＳ共有"という用語は、データを復調するか又はチャネル状態に関する情報を得るために、以前のＴＴＩ又は以後のＴＴＩで送信されたＲＳに基づいて測定されたチャネル推定値を再使用することを言う。チャネル状態の変化が比較的徐々に行われると予想されるシナリオにおいて、該当ＴＴＩの前後に位置する他のＴＴＩで送信されたＲＳから測定された推定値は、データを復調するか又はチャネル状態に関する情報を得るために該当ＴＴＩに適用されることができる。従って、該当ＴＴＩではＲＳマッピングのために用いられるリソース要素がデータマッピングに使用され、これによりデータ処理量を向上させることができる。
【００２７】
一部具現例においては、データが多数のＴＴＩで繰り返して送信されるようにスケジューリングされても、ＲＳ共有は適用されないことができる。ＲＳ共有が適用されないシナリオにおいて、ＲＳはデータが繰り返して送信される全てのＴＴＩで受信されるように構成される。ＲＳ共有を適用しないと(即ち、データが繰り返して送信される全てのＴＴＩでＲＳを送信)、一部のシナリオにおいて、データ送信の信頼性を増加させることができる。特に、データが繰り返して送信される全てのＴＴＩでＲＳを送信することにより、ＲＳが全てのＴＴＩより少ない(例えば、ただ１つのＴＴＩで)ＴＴＩで送信されて、同じチャネル推定値が他のＴＴＩで再使用されるＲＳ共有シナリオに比較して、相対的に信頼度を改善することができる。
【００２８】
図１は、無線通信システムの一例としてＥ−ＵＭＴＳネットワーク構造を示す概略図である。Ｅ−ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ)は、既存のＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)から進展したシステムであり、現在３ＧＰＰで基礎的な標準化作業が進行中である。一般に、Ｅ−ＵＭＴＳをＬＴＥ(Ｌｏｎｇ Ｔｅｒｍ Ｅｖｏｌｕｔｉｏｎ)システムとも言える。ＵＭＴＳ及びＥ−ＵＭＴＳの技術規格(ｔｅｃｈｎｉｃａｌ ｓｐｅｃｉｆｉｃａｔｉｏｎ)の詳細な内容については、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ」のＲｅｌｅａｓｅ７及びＲｅｌｅａｓｅ８を参照できる。
【００２９】
図１を参照すると、Ｅ−ＵＭＴＳは、端末(Ｕｓｅｒ Ｅｑｕｉｐｍｅｎｔ；ＵＥ)、基地局(ｅＮｏｄｅＢ；ｅＮＢ)、及びネットワーク(Ｅ−ＵＴＲＡＮ)の終端に位置して、外部ネットワークに接続するアクセスゲートウェイ(Ａｃｃｅｓｓ Ｇａｔｅｗａｙ；ＡＧ)を含む。基地局は、ブロードキャストサービス、マルチキャストサービス及び／又はユニキャストサービスのために多重データストリームを同時に送信することができる。
【００３０】
１つの基地局には１つ以上のセルが存在する。セルは、１．２５、２．５、５、１０、１５、２０ＭＨｚなどの帯域幅のいずれか１つに設定され、複数の端末に下り又は上り送信サービスを提供する。互いに異なるセルは、互いに異なる帯域幅を提供するように設定される。基地局は、複数の端末に対するデータ送受信を制御する。下りリンク(Ｄｏｗｎｌｉｎｋ；ＤＬ)データに対して、基地局は下りリンクスケジューリング情報を送信し、該当端末にデータが送信される時間／周波数領域、符号化、データサイズ、ＨＡＲＱ(Ｈｙｂｒｉｄ Ａｕｔｏｍａｔｉｃ Ｒｅｐｅａｔ ａｎｄ ｒｅＱｕｅｓｔ)関連情報などを知らせる。また、上りリンク(Ｕｐｌｉｎｋ；ＵＬ)データに対して、基地局は上りリンクスケジューリング情報を該当端末に送信し、該当端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク(Ｃｏｒｅ Ｎｅｔｗｏｒｋ；ＣＮ)は、ＡＧ、及び端末のユーザ登録などのためのネットワークノードなどで構成可能である。ＡＧは、複数のセルで構成されるＴＡ(Ｔｒａｃｋｉｎｇ Ａｒｅａ)単位に端末の移動性を管理する。
【００３１】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００３２】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書ではＦＤＤ方式に基づいて本発明の実施例を説明するが、これは例示に過ぎず、本発明の実施例は、Ｈ−ＦＤＤ方式又はＴＤＤ方式にも容易に変形して適用できる。
【００３３】
図２は、３ＧＰＰ無線接続網規格に基づく端末とＥ−ＵＴＲＡＮとの間の無線インターフェースプロトコル(Ｒａｄｉｏ Ｉｎｔｅｒｆａｃｅ Ｐｒｏｔｏｃｏｌ)の制御平面及びユーザ平面の構造を示す図である。制御平面とは、端末(Ｕｓｅｒ Ｅｑｕｉｐｍｅｎｔ；ＵＥ)とネットワークとが信号を管理するために用いる制御メッセージが送信される通路のことを意味する。ユーザ平面とは、アプリケーション層で生成されたデータ、例えば、音声データ又はインターネットパケットデータなどが送信される通路のことを意味する。
【００３４】
第１層である物理層は、物理チャネル(Ｐｈｙｓｉｃａｌ Ｃｈａｎｎｅｌ)を用いて上位層に情報送信サービス(Ｉｎｆｏｒｍａｔｉｏｎ Ｔｒａｎｓｆｅｒ Ｓｅｒｖｉｃｅ)を提供する。物理層は、上位の媒体接続制御(Ｍｅｄｉｕｍ Ａｃｃｅｓｓ Ｃｏｎｔｒｏｌ)層とは送信チャネル(Ｔｒａｎｓｐｏｒｔ Ｃｈａｎｎｅｌ)を介して接続されている。該送信チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的には、物理チャネルは、下りリンクにおいてＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいてＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００３５】
第２層の媒体接続制御(Ｍｅｄｉｕｍ Ａｃｃｅｓｓ Ｃｏｎｔｒｏｌ；ＭＡＣ)層は、論理チャネル(Ｌｏｇｉｃａｌ Ｃｈａｎｎｅｌ)を通じて、上位層である無線リンク制御(Ｒａｄｉｏ Ｌｉｎｋ Ｃｏｎｔｒｏｌ；ＲＬＣ)層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ(Ｐａｃｋｅｔ Ｄａｔａ Ｃｏｎｖｅｒｇｅｎｃｅ Ｐｒｏｔｏｃｏｌ)層は、帯域幅の狭い無線インターフェースでＩＰｖ４やＩＰｖ６のようなＩＰパケットを効率的に送信するために、余分の制御情報を減らすヘッダー圧縮(Ｈｅａｄｅｒ Ｃｏｍｐｒｅｓｓｉｏｎ)機能を果たす。
【００３６】
第３層の最下部に位置する無線リソース制御(Ｒａｄｉｏ Ｒｅｓｏｕｒｃｅ Ｃｏｎｔｒｏｌ；ＲＲＣ)層は、制御平面にのみ定義される。ＲＲＣ層は、無線ベアラー(Ｒａｄｉｏ Ｂｅａｒｅｒ)の設定(Ｃｏｎｆｉｇｕｒａｔｉｏｎ)、再設定(Ｒｅ−ｃｏｎｆｉｇｕｒａｔｉｏｎ)及び解除(Ｒｅｌｅａｓｅ)に関連して、論理チャネル、送信チャネル及び物理チャネルの制御を担当する。無線ベアラー(ＲＢ)とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続(ＲＲＣ Ｃｏｎｎｅｃｔｅｄ)がある場合に、端末はＲＲＣ接続状態(Ｃｏｎｎｅｃｔｅｄ Ｍｏｄｅ)にあり、そうでない場合は、ＲＲＣ休止状態(Ｉｄｌｅ Ｍｏｄｅ)にあるようになる。ＲＲＣ層の上位にあるＮＡＳ(Ｎｏｎ−Ａｃｃｅｓｓ Ｓｔｒａｔｕｍ)層は、セッション管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を果たす。
【００３７】
基地局(ｅＮＢ)を構成する１つのセルは、１.２５、２.５、５、１０、１５、２０ＭＨｚなどの帯域幅のうちの１つに設定されて、複数の端末に下り又は上り送信サービスを提供する。互いに異なるセルは、互いに異なる帯域幅を提供するように設定される。
【００３８】
ネットワークから端末にデータを送信する下り送信チャネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、ユーザトラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージは、下りＳＣＨを介して送信されてもよく、別の下りＭＣＨ(Ｍｕｌｔｉｃａｓｔ Ｃｈａｎｎｅｌ)を通じて送信されてもよい。一方、端末からネットワークにデータを送信する上り送信チャネルとしては、初期制御メッセージを送信するＲＡＣＨ(Ｒａｎｄｏｍ Ａｃｃｅｓｓ Ｃｈａｎｎｅｌ)、ユーザトラフィックや制御メッセージを送信する上りＳＣＨ(Ｓｈａｒｅｄ Ｃｈａｎｎｅｌ)がある。送信チャネルの上位に存在し、送信チャネルにマッピングされる論理チャネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００３９】
図３は、３ＧＰＰシステムに用いられる物理チャネル及びこれらのチャネルを用いた一般の信号送信方法を説明する図である。
【００４０】
端末は、電源が入ったり、新しくセルに進入したりした場合に、基地局と同期を取る等の初期セル探索(Ｉｎｉｔｉａｌ ｃｅｌｌ ｓｅａｒｃｈ)作業を行う(Ｓ３０１)。そのために、端末は、基地局からプライマリ同期チャネル(Ｐｒｉｍａｒｙ Ｓｙｎｃｈｒｏｎｉｚａｔｉｏｎ Ｃｈａｎｎｅｌ；Ｐ−ＳＣＨ)及びセカンダリ同期チャネル(Ｓｅｃｏｎｄａｒｙ Ｓｙｎｃｈｒｏｎｉｚａｔｉｏｎ Ｃｈａｎｎｅｌ；Ｓ−ＳＣＨ)を受信して基地局と同期を取り、セルＩＤなどの情報を取得すればよい。その後、端末は、基地局から物理放送チャネル(Ｐｈｙｓｉｃａｌ Ｂｒｏａｄｃａｓｔ Ｃｈａｎｎｅｌ)を受信し、セル内放送情報を取得できる。一方、端末は、初期セル探索段階で、下りリンク参照信号(Ｄｏｗｎｌｉｎｋ Ｒｅｆｅｒｅｎｃｅ Ｓｉｇｎａｌ；ＤＬ ＲＳ)を受信し、下りリンクチャネル状態を確認できる。
【００４１】
初期セル探索を終えた端末は、物理下りリンク制御チャネル(Ｐｈｙｓｉｃａｌ Ｄｏｗｎｌｉｎｋ Ｃｏｎｔｒｏｌ Ｃｈａｎｎｅｌ；ＰＤＣＣＨ)、及び該ＰＤＣＣＨに載せられた情報に基づいて物理下りリンク共有チャネル(Ｐｈｙｓｉｃａｌ Ｄｏｗｎｌｉｎｋ Ｃｏｎｔｒｏｌ Ｃｈａｎｎｅｌ；ＰＤＳＣＨ)を受信することによって、より具体的なシステム情報を取得できる(Ｓ３０２)。
【００４２】
一方、基地局に最初に接続したり信号送信のための無線リソースがない場合には、端末は、基地局にランダムアクセス手順(Ｒａｎｄｏｍ Ａｃｃｅｓｓ Ｐｒｏｃｅｄｕｒｅ；ＲＡＣＨ)を行ってよい(Ｓ３０３乃至Ｓ３０６)。そのために、端末は、物理ランダムアクセスチャネル(Ｐｈｙｓｉｃａｌ Ｒａｎｄｏｍ Ａｃｃｅｓｓ Ｃｈａｎｎｅｌ；ＰＲＡＣＨ)を通じて特定シーケンスをプリアンブルとして送信し(Ｓ３０３及びＳ３０５)、ＰＤＣＣＨ及び対応するＰＤＳＣＨを介して、プリアンブルに対する応答メッセージを受信すればよい(Ｓ３０４及びＳ３０６)。競合ベースのＲＡＣＨについては、競合解決手順(Ｃｏｎｔｅｎｔｉｏｎ Ｒｅｓｏｌｕｔｉｏｎ Ｐｒｏｃｅｄｕｒｅ)をさらに行ってもよい。
【００４３】
上述の手順を行った端末は、その後、一般的な上りリンク／下りリンク信号送信手順として、ＰＤＣＣＨ／ＰＤＳＣＨ受信(Ｓ３０７)、及び物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)送信(Ｓ３０８)を行えばよい。特に、端末はＰＤＣＣＨを介して下りリンク制御情報(Ｄｏｗｎｌｉｎｋ Ｃｏｎｔｒｏｌ Ｉｎｆｏｒｍａｔｉｏｎ；ＤＣＩ)を受信する。ここで、ＤＣＩは、端末に対するリソース割り当て情報のような制御情報を含んでおり、その使用目的によってフォーマットが異なっている。
【００４４】
一方、端末が上りリンクを通じて基地局に送信する又は端末が基地局から受信する制御情報としては、下りリンク／上りリンクＡＣＫ／ＮＡＣＫ信号、ＣＱＩ(Ｃｈａｎｎｅｌ Ｑｕａｌｉｔ Ｉｎｄｉｃａｔｏｒ)、ＰＭＩ(Ｐｒｅｃｏｄｉｎｇ Ｍａｔｒｉｘ Ｉｎｄｅｘ)、ＲＩ(Ｒａｎｋ Ｉｎｄｉｃａｔｏｒ)などを含む。３ＧＰＰ ＬＴＥシステムでは、端末は、これらのＣＱＩ／ＰＭＩ／ＲＩなどの制御情報をＰＵＳＣＨ及び／又はＰＵＣＣＨを介して送信してもよい。
【００４５】
図４は無線フレームの構造を例示する図である。かかる無線フレーム構造はＬＴＥシステムと互換可能な具現例で使用できる。
【００４６】
図４を参照すると、無線フレーム(ｒａｄｉｏ ｆｒａｍｅ)は１０ｍｓ(３２７２００×Ｔｓ)の長さを有し、１０個の均等なサイズのサブフレームで構成されている。それぞれのサブフレームは１ｍｓの長さを有し、２個のスロットで構成されている。それぞれのスロットは０．５ｍｓ(１５３６０×Ｔｓ)の長さを有する。ここで、Ｔｓはサンプリング時間を表し、Ｔｓ＝１／(１５ｋＨｚ×２０４８)＝３．２５５２×１０−８(約３３ｎｓ)で表示される。スロットは時間領域において複数のＯＦＤＭシンボルを含み、周波数領域において複数のリソースブロック(Ｒｅｓｏｕｒｃｅ Ｂｌｏｃｋ；ＲＢ)を含む。ＬＴＥシステムにおいて１つのリソースブロックは１２個の副搬送波×７(６)個のＯＦＤＭシンボルを含む。データの送信される単位時間であるＴＴＩ(Ｔｒａｎｓｍｉｓｓｉｏｎ Ｔｉｍｅ Ｉｎｔｅｒｖａｌ)は１つ以上のサブフレーム単位に定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００４７】
図５は、下りリンク無線フレームにおいて１つのサブフレームの制御領域に含まれる制御チャネルを例示する図である。かかる例示はＬＴＥシステムで互換可能である。
【００４８】
図５を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する基準信号(Ｒｅｆｅｒｅｎｃｅ Ｓｉｇｎａｌ(ＲＳ)又はＰｉｌｏｔ Ｓｉｇｎａｌ)を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)、ＰＨＩＣＨ(Ｐｈｙｓｉｃａｌ Ｈｙｂｒｉｄ−ＡＲＱ Ｉｎｄｉｃａｔｏｒ ＣＨａｎｎｅｌ)、ＰＤＣＣＨ(Ｐｈｙｓｉｃａｌ Ｄｏｗｎｌｉｎｋ Ｃｏｎｔｒｏｌ ＣＨａｎｎｅｌ)などがある。
【００４９】
ＰＣＦＩＣＨは物理制御フォーマット指示子チャネルで、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ(Ｒｅｓｏｕｒｃｅ Ｅｌｅｍｅｎｔ Ｇｒｏｕｐ)で構成され、それぞれのＲＥＧはセルＩＤ(Ｃｅｌｌ ＩＤｅｎｔｉｔｙ)に基づいて制御領域内に分散される。１つのＲＥＧは４個のＲＥ(Ｒｅｓｏｕｒｃｅ Ｅｌｅｍｅｎｔ)で構成される。ＲＥは、１副搬送波×１ＯＦＤＭシンボルと定義される最小物理リソースを表す。ＰＣＦＩＣＨ値は帯域幅によって１〜３又は２〜４の値を指示し、ＱＰＳＫ(Ｑｕａｄｒａｔｕｒｅ Ｐｈａｓｅ Ｓｈｉｆｔ Ｋｅｙｉｎｇ)で変調される。
【００５０】
ＰＨＩＣＨは、物理ＨＡＲＱ(Ｈｙｂｒｉｄ−Ａｕｔｏｍａｔｉｃ Ｒｅｐｅａｔ ａｎｄ ｒｅｑｕｅｓｔ)指示子チャネルで、上りリンク送信に対するＨＡＲＱ ＡＣＫ／ＮＡＣＫを運ぶために用いられる。即ち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル特定(ｃｅｌｌ−ｓｐｅｃｉｆｉｃ)にスクランブル(ｓｃｒａｍｂｌｉｎｇ)される。ＡＣＫ／ＮＡＣＫは１ビットで指示され、ＢＰＳＫ(Ｂｉｎａｒｙ ｐｈａｓｅ ｓｈｉｆｔ ｋｅｙｉｎｇ)で変調される。変調されたＡＣＫ／ＮＡＣＫは拡散因子(Ｓｐｒｅａｄｉｎｇ Ｆａｃｔｏｒ；ＳＦ)＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ(グループ)は周波数領域及び／又は時間領域においてダイバーシティ得を得るために３回繰り返し(ｒｅｐｅｔｉｔｉｏｎ)される。
【００５１】
ＰＤＣＣＨは物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは１つ以上のＣＣＥで構成される。ＰＤＣＣＨは、送信チャネルであるＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)のリソース割り当てに関する情報、上りリンクスケジューリンググラント(Ｕｐｌｉｎｋ Ｓｃｈｅｄｕｌｉｎｇ Ｇｒａｎｔ)、ＨＡＲＱ情報などを各端末又は端末グループに知らせる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)はＰＤＳＣＨを介して送信される。従って、基地局と端末は一般に、特定の制御情報又は特定のサービスデータ以外は、ＰＤＳＣＨを介してデータをそれぞれ送信及び受信する。
【００５２】
ＰＤＳＣＨのデータがいずれの端末(１つ又は複数の端末)に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ(Ｒａｄｉｏ Ｎｅｔｗｏｒｋ Ｔｅｍｐｏｒａｒｙ Ｉｄｅｎｔｉｔｙ)でＣＲＣマスクされており、「Ｂ」という無線リソース(例えば、周波数位置)及び「Ｃ」というＤＣＩフォーマット、即ち、送信形式情報(例えば、送信ブロックサイズ、変調方式、コーディング情報など)を用いて送信されるデータに関する情報が、特定サブフレームで送信されると仮定する。この場合、セル内の端末は、自身が持っているＲＮＴＩ情報を用いて検索領域でＰＤＣＣＨをモニタリング、即ち、ブラインドデコードし、「Ａ」のＲＮＴＩを持っている１つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００５３】
図６は下りリンク制御チャネルを構成する時に使用されるリソース単位を示す。この例示はＬＴＥシステムで互換可能である。特に、図６の(ａ)は基地局の送信アンテナの数が１又は２である場合を示し、図６の(ｂ)は基地局の送信アンテナの数が４である場合を示す。送信アンテナの数によってＲＳ(Ｒｅｆｅｒｅｎｃｅ Ｓｉｇｎａｌ)パターンが異なるだけであり、制御チャネルに関連するリソース単位の設定方法は同一である。
【００５４】
図６を参照すると、下りリンク制御チャネルの基本リソース単位はＲＥＧ(Ｒｅｓｏｕｒｃｅ Ｅｌｅｍｅｎｔ Ｇｒｏｕｐ)である。ＲＥＧはＲＳを除いた状態で４つの隣接するリソース要素(ＲＥ)で構成される。図においてＲＥＧは太い線で表示している。ＰＣＦＩＣＨ及びＰＨＩＣＨは各々４個のＲＥＧ及び３個のＲＥＧを含む。ＰＤＣＣＨはＣＣＥ(ｃｏｎｔｒｏｌ Ｃｈａｎｎｅｌ Ｅｌｅｍｅｎｔｓ)単位で構成され、１つのＣＣＥは９個のＲＥＧを含む。
【００５５】
端末は自分にＬ個のＣＣＥからなるＰＤＣＣＨが送信されるか否かを確認するために、
2020529787.tif 000003
の連続した又は特定の規則に配置されたＣＣＥを確認するように設定される。端末がＰＤＣＣＨ受信のために考えるＬ値は複数である。端末がＰＤＣＣＨ受信のために確認するＣＣＥ集合を検索領域(Ｓｅａｒｃｈ ｓｐａｃｅ)という。一例として、ＬＴＥシステムでは検索領域を表１のように定義している。
【００５６】
【表１】
2020529787.tif 000004
【００５７】
ここで、ＣＣＥ集成レベルＬはＰＤＣＣＨを構成するＣＣＥ数を示し、
2020529787.tif 000005
はＣＣＥ集成レベルＬの検索領域を示し、
2020529787.tif 000006
は集成レベルＬの検索領域でモニタリングするＰＤＣＣＨ候補の数である。
【００５８】
検索領域は、特定の端末のみに対して接近が許容される端末特定検索領域(ＵＥ−ｓｐｅｃｉｆｉｃ ｓｅａｒｃｈ ｓｐａｃｅ)と、セル内の全ての端末に対して接近が許容される共通検索領域(ｃｏｍｍｏｎ ｓｅａｒｃｈ ｓｐａｃｅ)とに区分される。端末はＣＣＥ集成レベルが４及び８である共通検索領域をモニタし、ＣＣＥ集成レベルが１、２、４及び８である端末特定検索領域をモニタする。共通検索領域及び端末特定検索領域はオーバーラップすることができる。
【００５９】
また各ＣＣＥ集成レベル値に対して任意の端末に与えられるＰＤＣＣＨ検索領域における１番目(最小インデックスを有する)のＣＣＥの位置は、端末によって毎サブフレームごとに変化する。これをＰＤＣＣＨ検索領域ハッシング(ｈａｓｈｉｎｇ)という。
【００６０】
ＣＣＥはシステム帯域に分散できる。より具体的には、論理的に連続する複数のＣＣＥがインターリーバ(ｉｎｔｅｒｌｅａｖｅｒ)に入力され、インターリーバは入力された複数のＣＣＥをＲＥＧ単位で取り混ぜる機能を行う。従って、１つのＣＣＥを構成する周波数／時間リソースは物理的にサブフレームの制御領域内で全体周波数／時間領域に散らばって分布する。結局、制御チャネルはＣＣＥ単位で構成されるが、インターリービングはＲＥＧ単位で行われることにより、周波数ダイバーシティ(ｄｉｖｅｒｓｉｔｙ)と干渉ランダム化(ｉｎｔｅｒｆｅｒｅｎｃｅ ｒａｎｄｏｍｉｚａｔｉｏｎ)の利得を最大化することができる。
【００６１】
図７は上りリンクサブフレームの構造を示す図である。この例示はＬＴＥシステムで互換可能である。
【００６２】
図７を参照すると、上りリンクサブフレームは、制御情報を運ぶＰＵＣＣＨ(Ｐｈｙｓｉｃａｌ Ｕｐｌｉｎｋ Ｃｏｎｔｒｏｌ ＣＨａｎｎｅｌ)が割り当てられる領域と、ユーザデータを運ぶＰＵＳＣＨ(Ｐｈｙｓｉｃａｌ Ｕｐｌｉｎｋ Ｓｈａｒｅｄ ＣＨａｎｎｅｌ)が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ(Ｃｈａｎｎｅｌ Ｑｕａｌｉｔｙ Ｉｎｄｉｃａｔｏｒ)、ＭＩＭＯのためのＲＩ(Ｒａｎｋ Ｉｎｄｉｃａｔｏｒ)、上りリンクリソース割り当て要請であるＳＲ(Ｓｃｈｅｄｕｌｉｎｇ Ｒｅｑｕｅｓｔ)などがある。１つの端末に対するＰＵＣＣＨは、サブフレーム内の各スロットで互いに異なる周波数を占める１つのリソースブロックを使用する。即ち、ＰＵＣＣＨに割り当てられる２個のリソースブロックはスロット境界で周波数ホッピング(ｆｒｅｑｕｅｎｃｙ ｈｏｐｐｉｎｇ)する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００６３】
参照信号(Ｒｅｆｅｒｅｎｃｅ Ｓｉｇｎａｌ；ＲＳ)
【００６４】
無線通信システムにおいてパケットを送信する時、送信されるパケットは無線チャネルを介して送信されるため、送信過程で信号の歪みが発生し得る。歪んだ信号を受信側で正しく受信するためには、チャネル情報を用いて受信信号で歪みを補正しなければならない。チャネル情報を知らせるために、送信側と受信側の両方で知っている信号を送信し、この信号がチャネルを介して受信される時の歪み程度によってチャネル情報を探し出す方法を主に使用する。この信号をパイロット信号(Ｐｉｌｏｔ Ｓｉｇｎａｌ)又は参照信号(Ｒｅｆｅｒｅｎｃｅ Ｓｉｇｎａｌ)という。
【００６５】
多重アンテナを使用してデータを送受信する場合には、各送信アンテナと受信アンテナの間のチャネル状況を把握しないと、正しい信号を受信することができない。従って、各送信アンテナごとに異なる参照信号が必要である。
【００６６】
移動通信システムにおいて、参照信号(ＲＳ)はその目的によって大きく２つに分けられる。１つはチャネル情報を得るために使用されるＲＳであり、他の１つはデータ復調のために使用されるＲＳである。前者は端末が下りリンクチャネル情報を得るためのＲＳであるため、広帯域に送信され、特定のサブフレームで下りリンクデータを受信しない端末であっても該当ＲＳを受信して測定できる必要がある。かかるＲＳはハンドオーバーなどのための測定などのためにも使用される。後者は基地局が下りリンクの送信時に該当リソースに共に送るＲＳであり、端末は該当ＲＳを受信することによりチャネル推定を行うことができ、よってデータを復調することができる。かかるＲＳはデータが送信される領域に送信される。
【００６７】
３ＧＰＰ ＬＴＥ(例えば、３ＧＰＰ ＬＴＥリリース８)と互換可能なシステムのような一部の具現例では、ユニキャスト(ｕｎｉｃａｓｔ)サービスのために、２つの下りリンクＲＳを定義する。１つは共用参照信号(Ｃｏｍｍｏｎ ＲＳ；ＣＲＳ)であり、他の１つは専用参照信号(Ｄｅｄｉｃａｔｅｄ ＲＳ；ＤＲＳ)である。ＣＲＳはチャネル状態に関する情報を獲得及びハンドオーバーなどのための測定のために使用され、セル特定(ｃｅｌｌ−ｓｐｅｃｉｆｉｃ)のＲＳと称する。ＤＲＳはデータ復調のために使用され、端末特定(ＵＥ−ｓｐｅｃｉｆｉｃ)のＲＳと称する。既存の３ＧＰＰ ＬＴＥシステムでは、ＤＲＳはデータ復調用のみに使用され、ＣＲＳはチャネル情報の獲得及びデータ復調の２つの目的で使用される。
【００６８】
ＣＲＳはセル特定に送信されるＲＳであり、広帯域に対して毎サブフレームごとに送信される。ＣＲＳは基地局の送信アンテナ数によって最大４個のアンテナポートに対して送信される。例えば、基地局の送信アンテナ数が２個である場合は、０番目と１番目のアンテナポートに対するＣＲＳが送信され、４個である場合は、０〜３番目のアンテナポートに対するＣＲＳが各々送信される。
【００６９】
図８は１つのリソースブロック双でのＣＲＳ及びＤＲＳの例示的なパターンを示す図である。
【００７０】
図８の参照信号パターンの例示では、基地局が４個の送信アンテナを支援するシステムにおいて１つのリソースブロック双(正規ＣＰの場合、時間上１４個のＯＦＤＭシンボル×周波数上１２副搬送波)上でのＣＲＳ及びＤＲＳのパターンを示す。図６において、'Ｒ０'、'Ｒ１'、'Ｒ２'及び'Ｒ３'と示されたリソース要素(ＲＥ)は、各々アンテナポートインデックス０、１、２及び３に対するＣＲＳの位置を表す。一方、図６において'Ｄ'と示されたリソース要素は、ＬＴＥシステムで定義されるＤＲＳの位置を表す。
【００７１】
ＬＴＥの進化発展した形態であるＬＴＥ−Ａと互換可能なシステムでは、下りリンクにおいて最大８個の送信アンテナを支援することができる。従って、かかるシステムでは、最大８個の送信アンテナに対するＲＳも支援される必要がある。ＬＴＥと互換可能な一部システムでの下りリンクＲＳは、最大４個のアンテナポートのみに対して定義されている。従って、ＬＴＥ−Ａと互換可能なシステムにおいて、基地局が４個以上最大８個の下りリンク送信アンテナを有する場合、これらのアンテナポートに対するＲＳがさらに定義される必要がある。最大８個の送信アンテナポートに対するＲＳとして、チャネル測定のためのＲＳとデータ復調のためのＲＳの２つを全部考慮しなければならない。
【００７２】
ＬＴＥ−Ａと互換可能なシステムの設計時に重要な考慮事項の１つは逆方向互換性(ｂａｃｋｗａｒｄ ｃｏｍｐａｔｉｂｉｌｉｔｙ)である。逆方向互換性とは、既存のＬＴＥと互換可能な端末がＬＴＥ−Ａとも互換可能なシステムでも正確に動作するように支援することを意味する。ＲＳ送信の観点からして、ＬＴＥ標準で定義されているＣＲＳが全帯域に毎サブフレームごとに送信される時間−周波数領域に最大８個の送信アンテナポートに対するＲＳを追加する場合、ＲＳオーバーヘッドが大きくなりすぎる。従って、最大８個のアンテナポートに対するＲＳを新しく設計するにおいて、ＲＳオーバーヘッドを減らすことが考えられる。
【００７３】
ＬＴＥ−Ａと互換可能なシステムで新しく導入されるＲＳは大きく２つに分類される。１つは送信ランク、変調及びコーディング技法(Ｍｏｄｕｌａｔｉｏｎ ａｎｄ Ｃｏｄｉｎｇ Ｓｃｈｅｍｅ；ＭＣＳ)、プリコーディング行列インデックス(Ｐｒｅｃｏｄｉｎｇ Ｍａｔｒｉｘ Ｉｎｄｅｘ；ＰＭＩ)などの選択のためのチャネル測定目的のＲＳであるチャネル状態情報−参照信号(Ｃｈａｎｎｅｌ Ｓｔａｔｅ Ｉｎｆｏｒｍａｔｉｏｎ ＲＳ；ＣＳＩ−ＲＳ)であり、他の１つは最大８個の送信アンテナで送信されるデータを復調するためのＲＳである復調−参照信号(ＤｅＭｏｄｕｌａｔｉｏｎ ＲＳ；ＤＭＲＳ)である。
【００７４】
チャネル測定目的のＣＳＩ−ＲＳは、既存のＬＴＥと互換可能なシステムにおいてＣＲＳがチャネル測定、ハンドオーバーなどの測定の目的と同時にデータ復調のために使用されることとは異なり、主にチャネル測定のために設計されるという特徴がある。勿論、ＣＳＩ−ＲＳもハンドオーバーなどの測定の目的にも使用される。ＣＳＩ−ＲＳがチャネル状態に関する情報を得る目的のみで送信されるので、既存のＬＴＥシステムでのＣＲＳとは異なり、毎サブフレームごとに送信されなくてもよい。従って、ＣＳＩ−ＲＳのオーバーヘッドを減らすために、ＣＳＩ−ＲＳは時間軸上で間欠的に(例えば、周期的に)送信されるように設計される。
【００７５】
ある下りリンクサブフレーム上でデータが送信される場合、データ送信がスケジュールされた端末に専用(ｄｅｄｉｃａｔｅｄ)ＤＭＲＳが送信される。即ち、ＤＭＲＳは端末−特定(ＵＥ−ｓｐｅｃｉｆｉｃ)のＲＳとも称することができる。特定の端末専用のＤＭＲＳは、該当端末がスケジュールされたリソース領域、即ち、該当端末に対するデータが送信される時間−周波数領域のみで送信されるように設計できる。
【００７６】
図９はＬＴＥ−Ａと互換可能なシステムで定義されるＤＭＲＳパターンの一例を示す図である。
【００７７】
図９では下りリンクデータが送信される１つのリソースブロック双(正規ＣＰの場合、時間上１４個のＯＦＤＭシンボル×周波数上１２副搬送波)上でＤＭＲＳが送信されるリソース要素の位置を示す。ＤＭＲＳはＬＴＥ−Ａと互換可能に定義される４個のアンテナポート(アンテナポートインデックス７、８、９及び１０)に対して送信される。互いに異なるアンテナポートに対するＤＭＲＳは、異なる周波数リソース(副搬送波)及び／又は異なる時間リソース(ＯＦＤＭシンボル)に位置することにより区分される(即ち、ＦＤＭ及び／又はＴＤＭ方式で多重化される)。また同じ時間−周波数リソース上に位置する互いに異なるアンテナポートに対するＤＭＲＳは、互いに直交コード(ｏｒｔｈｏｇｏｎａｌ ｃｏｄｅ)により区分される(即ち、ＣＤＭ方式で多重化される)。図７の例示において、ＤＭＲＳ ＣＤＭグループ１と示されたリソース要素(ＲＥ)にはアンテナポート７及び８に対するＤＭＲＳが位置し、これらは直交コードにより多重化される。これと同様に、図７の例示において、ＤＭＲＳグループ２と示されたリソース要素にはアンテナポート９及び１０に対するＤＭＲＳが位置し、これらは直交コードにより多重化される。
【００７８】
基地局でＤＭＲＳを送信するにおいて、データに対して適用されるプリコーディングと同じプリコーディングがＤＭＲＳに適用される。従って、端末でＤＭＲＳ(又は端末−特定ＲＳ)を用いて推定されるチャネル情報は、プリコーディングされたチャネル情報である。端末はＤＭＲＳにより推定したプリコーディングされたチャネル情報を用いて、データ復調を容易に行うことができる。しかし、端末はＤＭＲＳに適用されたプリコーディング情報を知らないので、ＤＭＲＳからはプリコーディングされないチャネル情報を得ることができない。端末はＤＭＲＳ以外の別の参照信号、即ち、上述したＣＳＩ−ＲＳを用いてプリコーディングされないチャネル情報を得ることができる。
【００７９】
図１０はＬＴＥ−Ａシステムと互換可能な具現例で定義されるＣＳＩ−ＲＳパターンの例示を示す図である。
【００８０】
図１０では下りリンクデータが送信される１つのリソースブロック双(定期ＣＰの場合、時間上１４個のＯＦＤＭシンボル×周波数上１２副搬送波)上でＣＳＩ−ＲＳが送信されるリソース要素の位置を示す。ある下りリンクサブフレームで図１０(ａ)乃至１０(ｅ)のうちの１つのＣＳＩ−ＲＳパターンを用いることができる。ＣＳＩ−ＲＳはＬＴＥ−Ａシステムでさらに定義される８個のアンテナポート(アンテナポートインデックス１５、１６、１７、１８、１９、２０、２１及び２２)に対して送信される。互いに異なるアンテナポートに対するＣＳＩ−ＲＳは、異なる周波数リソース(副搬送波)及び／又は異なる時間リソース(ＯＦＤＭシンボル)に位置することにより区分される(即ち、ＦＤＭ及び／又はＴＤＭ方式で多重化される)。また同じ時間−周波数リソース上に位置する互いに異なるアンテナポートに対するＣＳＩ−ＲＳは、互いに直交コードにより区分される(即ち、ＣＤＭ方式で多重化される)。図１０(ａ)の例示において、ＣＳＩ−ＲＳ ＣＤＭグループ１と示されたリソース要素(ＲＥ)にはアンテナポート１５及び１６に対するＣＳＩ−ＲＳが位置し、これらは直交コードにより多重化される。図１０(ａ)の例示において、ＣＳＩ−ＲＳ ＣＤＭグループ２と示されたリソース要素にはアンテナポート１７及び１８に対するＣＳＩ−ＲＳが位置し、これらは直交コードにより多重化される。図１０(ａ)の例示において、ＣＳＩ−ＲＳ ＣＤＭグループ３と示されたリソース要素にはアンテナポート１９及び２０に対するＣＳＩ−ＲＳが位置し、これらは直交コードにより多重化される。図１０(ａ)の例示において、ＣＳＩ−ＲＳ ＣＤＭグループ４と示されたリソース要素にはアンテナポート２１及び２２に対するＣＳＩ−ＲＳが位置し、これらは直交コードにより多重化される。図１０(ａ)を基準として説明した類似する具現の特徴が図１０(ｂ)乃至１０(ｅ)に適用されることができる。
【００８１】
図８乃至図１０のＲＳパターンは単に例示に過ぎず、本発明の実施例を適用する時、特定のＲＳパターンに限られない。即ち、図８乃至図１０とは異なるＲＳパターンが定義及び使用される場合にも本発明の様々な実施例を同様に適用できる。
【００８２】
以下、本発明による参照信号の送受信方法について本格的に説明する。
【００８３】
次世代通信システムでは、情報送受信時に非常に短い遅延時間(ｌａｔｅｎｃｙ)及び非常に高い信頼度(ｒｅｌｉａｂｉｌｉｔｙ)を達成するために様々な方法を考慮している。これに関連して、遅延時間及び／又は信頼性のような様々なターゲットＱｏＳ要求事項を設定し、各ターゲットＱｏＳ要求事項によって動作が変化するように設定することにより、該当ターゲットＱｏＳ要求事項に対応するサービスを効率的に提供している。
【００８４】
本発明では、セルラー通信システムにおいて、基地局が端末に下りリンクデータを繰り返し送信する時、参照信号の共有を可能にする技術について提案する。かかる技術はより高い信頼性と低い遅延時間のような様々な長所を提供することができる。
【００８５】
本発明における発明事項及び／又は実施例は１つの提案方式であると思われるが、各発明事項及び／又は実施例の間の組み合わせも新しい方式として判断できる。また特定の発明事項は本発明で提示する実施例に限られず、特定のシステムにも限られない。即ち、特定の発明事項が本発明で提示する実施例から通常の技術者が容易に類推できる範囲内で拡張され、本発明の実施例が適用可能な通信システムであれば、ＬＴＥ、ＬＴＥ−Ａ、ＬＴＥ−Ｐｒｏ、ＮＲ、ＩＥＥＥなどの様々な通信システムにも適用可能である。
【００８６】
本発明の全てのパラメータ、動作、各パラメータ及び／又は動作の間の組み合わせ、該当パラメータ及び／又は動作の適用有無及び/又は各パラメータ及び／又は動作の間の組み合わせの適用有無などは、基地局が端末に上位階層シグナリング及び／又は物理階層シグナリングにより指示するか、又は予めシステムに定義することができる。
【００８７】
本発明において異なるサブフレームタイプに関する内容は、異なる送信モード(ｔｒａｎｓｍｉｓｓｉｏｎ ｍｏｄｅ；ＴＭ)についてもそのまま適用することができる。例えば、同一のサブフレームタイプに設定された２サブフレームの間に送信モードが変更されて相異になる場合にもそのまま適用できる。本発明で説明するＴＴＩ(Ｔｒａｎｓｍｉｓｓｉｏｎ Ｔｉｍｅ Ｉｎｔｅｒｖａｌ)は、サブスロット／スロット／サブフレームなどの様々なＴＴＩ長さ単位に対応できることが明らかである。
【００８８】
ここで、サブスロット及びスロットは短いＴＴＩ(Ｓｈｏｒｔ ＴＴＩ)と呼ばれる。短いＴＴＩは１ｍｓの長さを有するＤＬ−ＳＣＨ(Ｄｏｗｎｌｉｎｋ Ｓｈａｒｅｄ Ｃｈａｎｎｅｌ)及びＵＬ−ＳＣＨ(Ｕｐｌｉｎｋ Ｓｈａｒｅｄ Ｃｈａｎｎｅｌ)のためのＴＴＩより短い長さを有し、短いＴＴＩを支援するための制御チャネルはＳＰＤＣＣＨ(Ｓｈｏｒｔ ＰＤＣＣＨ)及びＳＰＵＣＣＨ(Ｓｈｏｒｔ ＰＵＣＣＨ)も１ｍｓより短い持続時間で送信される。この時、スロットは０.５ｍｓ区間を有し、よって７個のシンボルで構成できる。なお、サブスロットは２個又は３個のシンボルで構成できる。
【００８９】
図１１は短いＴＴＩ構造の例示を説明する図である。
【００９０】
ＴＤＤシステムの場合、スロット単位で短いＴＴＩ基盤の送信が行われ、ＦＤＤシステムの場合には、スロット及び／又はサブスロット単位の短いＴＴＩ基盤の送信が行われる。
【００９１】
この時、１つのサブフレームは６個のサブスロットで構成され、ＰＤＣＣＨのために使用されるシンボル数によってサブスロットが配置されるパターンが変わる。具体的には、ＰＤＣＣＨのために使用されるシンボル数が１又は３である場合、図１１(ａ)のように０番目のサブスロットと５番目のサブスロットが３シンボルで構成され、残りのサブスロットは２シンボルで構成される。
【００９２】
反面、ＰＤＣＣＨのために使用されるシンボル数が２である場合は、図１１(ｂ)のように１番目のサブスロットと５番目のサブスロットが３シンボルで構成され、残りのサブスロットは２シンボルで構成される。
【００９３】
図１２は繰り返し送信されるＰＤＳＣＨのスケジューリングの例示を示す図である。
【００９４】
下りリンク送信の信頼性を高めるために、データを繰り返して送信することができる。例えば、図１２(ａ)のように、制御チャネルと該制御チャネルがスケジュールするデータチャネルを毎ＴＴＩごとに独立して送信し、各制御チャネルでＨＡＲＱプロセッサ番号(ＨＡＲＱ Ｐｒｏｃｅｓｓ ｎｕｍｂｅｒ)、ＮＤＩ(Ｎｅｗ Ｄａｔａ Ｉｎｄｉｃａｔｏｒ)などを活用して複数のＴＴＩで送信されるデータチャネルが同じ送信ブロック(Ｔｒａｎｓｍｉｓｓｉｏｎ Ｂｌｏｃｋ；ＴＢ)を送信することを端末に知らせ、同じデータを複数のＴＴＩの間に繰り返し送信することができる。
【００９５】
一方、図１２(ａ)よりも制御チャネルのオーバーヘッド(ｏｖｅｒｈｅａｄ)を減らすために、図１２(ｂ)のように単一のＴＴＩで送信される制御チャネルが多数のＴＴＩで繰り返し送信されるデータをスケジュールすることができる。即ち、単一のＴＴＩで送信される制御チャネルが多数のＴＴＩに対するデータスケジューリングを行うことができる。
【００９６】
ここで、制御チャネルは複数のＴＴＩで送信され、この時、制御チャネルが送信されるＴＴＩの数はデータチャネルが送信されるＴＴＩの数より少ない。また多数のＴＴＩで繰り返し送信されるデータをスケジュールするＤＣＩ(Ｄｏｗｎｌｉｎｋ Ｃｏｎｔｒｏｌ Ｉｎｆｏｒｍａｔｉｏｎ)内のＭＣＳ(Ｍｏｄｕｌａｔｉｏｎ Ｃｏｄｉｎｇ Ｓｃｈｅｍｅ)／ＲＡ(Ｒｅｓｏｕｒｃｅ Ａｌｌｏｃａｔｉｏｎ)などの情報は、データが繰り返し送信される全てのＴＴＩに同様に適用される。またＤＣＩはデータが繰り返し送信される回数情報を含む。
【００９７】
例えば、ＬＴＥと互換可能なｓＴＴＩ(Ｓｈｏｒｔ ＴＴＩ)システムの場合、ＴＴＩが非常に短い長さに構成され、毎ＴＴＩごとにＤＭＲＳ(Ｄｅｍｏｄｕｌａｔｉｏｎ Ｒｅｆｅｒｅｎｃｅ Ｓｉｇｎａｌ)のような参照信号を送信する場合、参照信号のオーバーヘッド(ＲＳ ｏｖｅｒｈｅａｄ)が高くなってデータのコードレートが高くなることができるので、ＴＴＩの間の参照信号を共有(ｓｈａｒｉｎｇ)することにより参照信号のオーバーヘッドを減らすことができる。
【００９８】
一方、特定のＴＴＩで送信されるＤＣＩ(Ｄｏｗｎｌｉｎｋ Ｃｏｎｔｒｏｌ Ｉｎｆｏｒｍａｔｉｏｎ)が該当ＴＴＩを含んで連続する(又は不連続する)ＴＴＩで繰り返し送信されるデータをスケジュールする場合、該当ＴＴＩに続くＴＴＩではＤＣＩに対する復号を行わないか、又は復号を行ってＤＣＩを検出しても該当ＤＣＩを廃棄(ｄｉｓｃａｒｄ)することができる。この時、ＤＣＩはＣ−ＲＮＴＩ基盤のデータスケジューリング関連のＤＣＩである。
【００９９】
データの繰り返し(ｒｅｐｅｔｉｔｉｏｎ)回数ｋはＤＣＩにより設定されるが、‘繰り返し送信されるデータをスケジュールする’とは、ｋが１より大きく設定された場合に該当し、ＨＡＲＱ−ｌｅｓｓ／ｂｌｉｎｄデータ繰り返しの有無について該当データ繰り返しを適用するように設定された場合を意味することもできる。
【０１００】
しかし、ＤＣＩに対する復号を行わないか又は復号を行ってＤＣＩを検出しても該当ＤＣＩを廃棄するＴＴＩでは、該当ＴＴＩに対する参照信号の共有関連情報を送信できないので、該当ＴＴＩでも参照信号の共有のための方案を考える必要がある。
【０１０１】
データが繰り返し送信される場合の参照信号共有のための実施例を説明する前に、後述する実施例を具現するための端末、基地局及びネットワーク観点での動作の例示について、図１３乃至図１５を参照しながら説明する。
【０１０２】
図１３乃至図１５は本発明の実施例による端末、基地局及びネットワークの動作実施例を示す図である。
【０１０３】
図１３を参照しながら、本発明の実施例による端末の全般的な動作過程を説明すると、端末は基地局からデータの繰り返し送信に関する第１情報及びデータが繰り返し送信されるＴＴＩで適用される参照信号の共有有無に関する第２情報を受信する(Ｓ１３０１)。この時、第１情報及び第２情報は１つのシグナリングにより共に受信されるか、又は別のシグナリングにより各々受信される。例えば、第１情報及び第２情報はいずれも１つのＤＣＩにより受信されるか、又は第１情報はＤＣＩにより受信され、第２情報は上位階層シグナリングにより受信されることができる。また第１情報及び第２情報はいずれもＤＣＩにより受信されるが、各々異なるＤＣＩにより受信されることもできる。
【０１０４】
第１情報及び第２情報を受信した端末は、第１情報及び第２情報に基づいて繰り返し送信されるデータを復号する(Ｓ１３０３)。この時、データを復号するために共有された或いは共有されない参照信号を用いる方法、及び第２情報に含まれた参照信号の共有に関する情報は、後述する具体的な実施例に従う。
【０１０５】
図１４を参照しながら、本発明の実施例による基地局の動作を説明すると、基地局はデータの繰り返し送信に関する第１情報及びデータが繰り返し送信されるＴＴＩで適用される参照信号の共有有無に関する第２情報を送信する(Ｓ１４０１)。この時、第１情報及び第２情報は１つのシグナリングにより共に送信されるか、又は別のシグナリングにより各々送信される。例えば、第１情報及び第２情報はいずれも１つのＤＣＩにより送信されるか、又は第１情報はＤＣＩにより送信され、第２情報は上位階層シグナリングにより送信されることができる。また第１情報及び第２情報はいずれもＤＣＩにより送信されるが、各々異なるＤＣＩにより送信されることもできる。
【０１０６】
第１情報及び第２情報を送信した基地局は、第１情報及び第２情報に基づいて繰り返し送信されるデータを複数のＴＴＩで送信する(Ｓ１４０３)。この時、第２情報に基づいて参照信号を複数のＴＴＩの各々にマッピングする方法、及び第２情報に含まれた参照信号の共有に関する情報は、後述する具体的な実施例に従う。
【０１０７】
図１５を参照しながら、本発明の実施例によるネットワーク観点での動作を説明すると、基地局は端末にデータの繰り返し送信に関する第１情報及びデータが繰り返し送信されるＴＴＩで適用される参照信号の共有有無に関する第２情報を送信する(Ｓ１５０１)。この時、第１情報及び第２情報は１つのシグナリングにより共に送信されるか、又は別のシグナリングにより各々送信される。例えば、第１情報及び第２情報はいずれも１つのＤＣＩにより送信されるか、又は第１情報はＤＣＩにより送信され、第２情報は上位階層シグナリングにより送信されることができる。また第１情報及び第２情報はいずれもＤＣＩにより送信されるが、各々異なるＤＣＩにより送信されることもできる。また第２情報に含まれた参照信号の共有に関する情報は、後述する具体的な実施例に従う。
【０１０８】
第１情報及び第２情報を送信した基地局は、端末に第１情報及び第２情報に基づいて繰り返し送信されるデータを複数のＴＴＩで送信し(Ｓ１５０３)、この繰り返し送信されるデータを受信した端末は、第１情報及び第２情報に基づいて繰り返し送信されるデータを復号する(Ｓ１５０５)。この時、第２情報に基づいて参照信号を複数のＴＴＩの各々にマッピングする方法、及びデータを復号するために端末が共有された又は共有されない参照信号を用いる方法は、後述する実施例に従う。
【０１０９】
以下、上記図１３乃至図１５に示した端末及び基地局の動作のための具体的な参照信号の共有方法に関する実施例について説明する。
【０１１０】
図１６乃至図１８は本発明の実施例によってＤＭＲＳを共有する例示を示す。
【０１１１】
説明の便宜のために、特定の送信ブロック(Ｔｒａｎｓｍｉｓｓｉｏｎ Ｂｌｏｃｋ；ＴＢ)に関連して４回の繰り返し送信が行われ、該当繰り返し送信がＴＴＩ♯ｎ、♯ｎ＋１、♯ｎ＋２、♯ｎ＋３上で行われると仮定する。但し、本発明の提案方式は上記例示の状況に限られず、送信回数及び／又は繰り返し送信されるＴＴＩ又はデータ位置などが異なる場合にも拡張して適用することができる。また参照信号の共有(ｓｈａｒｉｎｇ)関連動作の場合、ＤＣＩで該当ＴＴＩ内の参照信号の存在有無を知らせることができ、もし該当ＤＣＩで現在のＴＴＩに参照信号がないと指示されると、以前のＴＴＩで送信された参照信号を共有するように動作できる。
【０１１２】
ここで、参照信号の共有は、該当ＴＴＩ内で送信されるデータを復調するか又は該当ＴＴＩに対するチャネル状態に関する情報を得るために、以前のＴＴＩ或いは以後のＴＴＩで送信された参照信号に基づいて測定したチャネル推定値を再使用することを意味する。例えば、該当ＴＴＩ内で送信されるデータを復調するか又は該当ＴＴＩに対するチャネル状態情報を得るために、該当ＴＴＩにマッピングされた参照信号に基づいてチャネル状態などを推定するが、各ＴＴＩの長さが相対的に短いか又は望ましいチャネル環境などの理由により、チャネル状態の変動が大きくないと予想される場合には、該当ＴＴＩの以前ＴＴＩ或いは以後ＴＴＩで送信される参照信号から測定された推定値を該当ＴＴＩにも適用してデータを復調するか、又はチャネル状態に関する情報を得ることを意味する。これにより、参照信号をマッピングするためのリソース要素をデータのマッピングに使用できるので、データ処理量を向上させることができる。
【０１１３】
但し、本発明の事項はこの明細書に記載の参照信号の共有方法に限られず、様々な方式の参照信号の共有方法に拡張して適用することができる。
【０１１４】
もし特定のＴＴＩで送信されるＤＣＩが該当ＴＴＩを含めて以後に送信される連続する(或いは不連続な)ＴＴＩで繰り返し送信されるデータをスケジュールするように動作するか、又は動作するように設定された場合、図１６に示したように、参照信号の共有が適用されないようにすることができる。即ち、データが繰り返し送信される全てのＴＴＩで参照信号が受信されるように設定することができる。
【０１１５】
言い換えれば、特定のＴＴＩで送信されるＤＣＩが該当ＴＴＩを含めて以後に送信される連続する(或いは不連続な)ＴＴＩで繰り返し送信されるデータをスケジュールするように動作するか、又は動作するように設定された場合、端末が参照信号の共有を期待していないと解釈することができる。かかる動作は、システムに予め定義されるか、又は参照信号の共有動作の適用有無を基地局が端末に上位階層シグナリング及び／又は物理階層シグナリングにより知らせることができる。
【０１１６】
又はデータ繰り返し送信が設定され、該当データ繰り返し送信回数が１を超えて指示された場合は、参照信号の共有関連ＤＣＩフィールドに特定値(例えば、‘１’又は他の適切な値)を送信することにより、図１６に示すように、データ繰り返し送信が行われる全てのＴＴＩで参照信号を送信して、参照信号の共有が適用されないように指示することができる。
【０１１７】
ＲＳ共有を適用しないと、即ち、データを繰り返し送信する全てのＴＴＩでＲＳを送信すると、データ送信の信頼性を高めることができる。例えば、参照信号を共有すると、参照信号が送信されないＴＴＩでのチャネル推定が多少不正確になり、データを繰り返し送信する目的に反して信頼性が減少することができる。従って、かかる信頼性維持のために、データ繰り返し送信時にはデータが繰り返し送信される全てのＴＴＩで参照信号を送信することが好ましい。
【０１１８】
またデータの繰り返し送信に参照信号の共有を適用する場合は、データが繰り返し送信されるＴＴＩのうち、１番目のＴＴＩで参照信号を送信し、２番目のＴＴＩでは１番目のＴＴＩの参照信号を共有して参照信号を送信しないことができる。この場合、１番目のＴＴＩでＤＣＩの検出に失敗すると、２番目のＴＴＩでＤＣＩ検出に成功しても、端末の立場では１番目のＴＴＩでの参照信号及び／又は参照信号の共有に関する情報を得られず、これにより参照信号の共有により２番目のＴＴＩで使用できる参照信号がないので、１番目のＴＴＩのデータはもちろん、２番目のＴＴＩのデータまで復号できないことがある。
【０１１９】
従って、データを繰り返し送信する場合は、参照信号の共有を適用するよりは、図１６のように繰り返し送信される全てのＴＴＩで参照信号を送信する方が好ましい。
【０１２０】
一方、データ繰り返し送信回数が１に指示された場合は、参照信号の共有関連ＤＣＩフィールド値によって該当ＤＣＩが送信されたＴＴＩでの参照信号の共有有無が決定される。即ち、指示されるデータ繰り返し送信回数によって、参照信号の共有関連フィールドが適用される技術が異なるように定義される。
【０１２１】
例えば、データ繰り返し回数が１を超える場合は、該当フィールドに特定値(例えば、‘１’又は他の適切な値)を送信してデータが繰り返し送信されるＴＴＩの間に参照信号の共有を適用せず、該当値を仮想ＣＲＣ(Ｖｉｒｔｕａｌ Ｃｙｃｌｉｃ Ｒｅｄｕｎｄａｎｃｙ Ｃｈｅｃｋ)として活用することができる。反面、データ繰り返し回数が１に設定された場合は、該当フィールドに送信される値によって該当ＴＴＩでの参照信号の共有有無が決定される。
【０１２２】
なお、データが繰り返し送信されるＴＴＩに参照信号の共有動作が適用されない場合、既存のＤＣＩ内に存在する参照信号の共有関連フィールドは、予め定義されるか又は基地局が端末に上位階層シグナリング及び／又は物理階層シグナリングにより知らせた値で送信し、該当フィールドを仮想ＣＲＣとして使用することができる。又は該当フィールドを選択的フィールド(ｏｐｔｉｏｎａｌ ｆｉｅｌｄ)として設定して、参照信号の共有動作が設定される場合にのみ存在するように定義することができる。
【０１２３】
例外として、ＴＴＩ♯ｎ−１で第１ＤＣＩが送信されて(ＴＴＩ♯ｎ−１で)第１データをスケジュールし、第２データの繰り返し送信をスケジュールする第２ＤＣＩがＴＴＩ♯ｎで送信されてＴＴＩ♯ｎ、♯ｎ＋１、♯ｎ＋２、♯ｎ＋３で第２データが繰り返し送信される場合には、ＴＴＩ♯ｎで参照信号の共有を指示してＴＴＩ♯ｎ−１で送信された参照信号をＴＴＩ♯ｎで共有する動作が可能である。
【０１２４】
この時、参照信号の共有が指示されたＴＴＩ♯ｎのみでＤＭＲＳのような参照信号が送信されず、ＴＴＩ♯ｎ＋１、♯ｎ＋２、♯ｎ＋３では参照信号が送信されるように動作することができる。それ以外にも、端末がデータ繰り返し送信に関する性能を報告する場合、該当報告された内容に合うＤＣＩフォーマットを具現することができ、この時、該当ＤＣＩフォーマットは参照信号の共有関連フィールドを含まない。
【０１２５】
さらに他の方法において、特定のＴＴＩで送信されるＤＣＩが該当ＴＴＩを含めて以後に送信される連続する(或いは不連続する)ＴＴＩで繰り返し送信されるデータをスケジュールするように動作する場合にも、参照信号の共有が適用される。
【０１２６】
例えば、繰り返し送信動作時に参照信号の共有に対する動作を基地局が端末に上位階層シグナリング及び／又は物理階層シグナリングにより指示することができる。この時、上位階層シグナリング及び／又は物理階層シグナリングにより参照信号の共有動作について指示する情報の場合、各ＴＴＩでの参照信号の共有有無又は該当ＴＴＩでの参照信号の存在有無に関する情報を知らせることができ、繰り返し送信されるＴＴＩの間の参照信号の共有が適用されるパターンに関する情報を知らせることもできる。また、かかるパターンは予め定義されることができる。例えば、データの繰り返し送信回数によって参照信号の共有が適用されるパターンが予め定義され、最大に可能なデータ繰り返し送信回数を基準として、参照信号の共有が適用されるパターンが定義される。
【０１２７】
なお、参照信号の共有を適用するＴＴＩ数に対する制限を設定することができる。この制限はシステムに予め定義されるか、又は基地局が端末に上位階層シグナリング及び／又は物理階層シグナリングにより知らせることができる。
【０１２８】
端末は該当制限個数に対応するＴＴＩのうち、１番目のＴＴＩのように特定のＴＴＩに参照信号が送信されることを基本動作として仮定することができる。参照信号の共有が適用される多数のＴＴＩは、サブフレームの間の境界又はサブフレームタイプが変更される境界にわたらないように制限される。この時、サブフレームタイプが変更される境界とは、例えば、ＭＢＳＦＮ(Ｍｕｌｔｉｃａｓｔ Ｂｒｏａｄｃａｓｔ Ｓｉｎｇｌｅ Ｆｒｅｑｕｅｎｃｙ Ｎｅｔｗｏｒｋ)サブフレームからｎｏｎ−ＭＢＳＦＮサブフレームに変更される境界、又はｎｏｎ−ＭＢＳＦＮサブフレームからＭＢＳＦＮサブフレームに変更される境界を意味する。
【０１２９】
一方、参照信号の共有が適用される多数のＴＴＩがサブフレームの間の境界又はサブフレームタイプが変更される境界にわたって構成されることもでき、参照信号共有が適用される多数のＴＴＩがサブフレームの間の境界又はサブフレームタイプが変更される境界にわたって構成されるか否かは、システムに予め定義されるか又は基地局が端末に上位階層シグナリング及び／又は物理階層シグナリングにより指示することができる。
【０１３０】
データの繰り返し送信回数が参照信号の共有を適用するＴＴＩ数の制限より多く設定された場合には、設定されたデータの繰り返し送信回数内で参照信号の共有適用の制限個数単位でＴＴＩを分け、分けられた各グループ内で基本動作の通りに制限個数に対応する複数のＴＴＩのうち、特定のＴＴＩに参照信号を送信することができる。この時、設定されたデータの繰り返し送信回数を参照信号の共有適用のための制限個数単位で構成し、残ったＴＴＩでは参照信号を送信するように設定することができる。
【０１３１】
例えば、図１７を参照すると、データ繰り返し送信回数が３に設定され、参照信号の共有のためのＴＴＩ制限個数が２である場合、３個のデータ送信ＴＴＩのうち、参照信号の共有のためのＴＴＩ制限個数単位で構成した前側の２個のＴＴＩは、２つのうち、１つのＴＴＩのみにＤＭＲＳを送信して前側の２個のＴＴＩの相互間にＤＭＲＳを共有可能にし、参照信号の共有適用制限個数より少ない１個のＴＴＩにはＤＭＲＳを送信することができる。
【０１３２】
一方、データの繰り返し送信回数自体が参照信号共有の適用制限個数より小さく設定された場合は、該当データ繰り返し送信回数に該当するＴＴＩのうち、一部のＴＴＩ(例えば、繰り返し送信回数に該当するＴＴＩのうち、１番目のＴＴＩ)のみで参照信号を送信することができ、該当データの繰り返し送信回数に該当する全てのＴＴＩの各々で全て参照信号を送信することもできる。
【０１３３】
例えば、データの繰り返し送信回数が２であるが、参照信号共有の適用制限個数が３である場合、データが繰り返し送信される２個のＴＴＩのうち、１番目のＴＴＩのみで参照信号を送信し、２番目のＴＴＩでは参照信号を送信しないことができ、１番目のＴＴＩ及び２番目のＴＴＩで全部参照信号を送信することもできる。
【０１３４】
かかる動作有無はシステムに予め定義されるか又は基地局が端末に上位階層シグナリング及び／又は物理階層シグナリングにより指示することができる。
【０１３５】
一方、設定されたデータ繰り返し送信回数が参照信号の共有適用制限個数に割り切れない場合は、参照信号の共有を適用せず、毎ＴＴＩごとにＤＭＲＳのような参照信号を送信するように動作することができる。
【０１３６】
但し、参照信号の共有がサブフレーム境界内に限定された状況でデータの繰り返し送信がサブフレーム境界にわたって構成される場合、サブフレーム境界を基準としてデータが繰り返し送信されるＴＴＩを分け、各サブフレームに含まれたデータ繰り返し送信のためのＴＴＩ内で上述した参照信号共有のための動作を適用することができる。
【０１３７】
例えば、図１８に示すように、参照信号共有が適用されるＴＴＩ数が２個に制限され、データの繰り返し送信回数が４に設定された環境において、繰り返し送信されるＴＴＩがサブフレーム境界を基準として３ＴＴＩｓ／１ＴＴＩに区分される場合を考えることができる。この場合、２個のサブフレームの各々に含まれた３ＴＴＩｓ／１ＴＴＩ内で上記参照信号の共有動作を適用して、前側のサブフレームに含まれた３個のＴＴＩは参照信号の共有制限ＴＴＩ数に基づいて２個／１個に分けてＴＴＩ♯ｎ及びＴＴＩ♯ｎ＋２で各々参照信号が１つずつ送信され、後側のサブフレームに含まれた１個のＴＴＩで参照信号が送信されるように構成することができる。従って、図１８の例示では、４回の繰り返し送信のうち、１番目、３番目、４番目のＴＴＩ、即ち、ＴＴＩ♯ｎ、ＴＴＩ♯ｎ＋２及びＴＴＩ♯ｎ＋３で参照信号が送信される。
【０１３８】
より一般的には、データの繰り返し送信が互いに異なるサブフレームにわたって構成される場合、同じサブフレーム内に位置するＴＴＩの間のみで参照信号の共有を適用するか、又は同一のサブフレームタイプを有するサブフレーム内に位置するＴＴＩの間のみで参照信号の共有が適用されることもできる。ここで、同じサブフレームタイプとは、複数のサブフレームが全てＭＢＳＦＮサブフレームであるか、又はｎｏｎ−ＭＢＳＦＮサブフレームである場合を意味する。
【０１３９】
この時、もし互いに異なるサブフレーム又はサブフレームタイプにわたってデータの繰り返し送信が構成される場合、以前のサブフレーム又は以後のサブフレームのうち、１つのサブフレームのみに参照信号の共有を適用し、残りの１つのサブフレームには毎ＴＴＩごとに参照信号を送信することができる。
【０１４０】
例えば、ＤＭＲＳ基盤の送信モードに設定されたサブフレーム(又はＭＢＳＦＮサブフレーム)からＣＲＳ基盤の送信モードに設定されたサブフレーム(又はｎｏｎ−ＭＢＳＦＮサブフレーム)に変更される場合、ＭＢＳＦＮサブフレーム又はＤＭＲＳ基盤の送信モードが設定されるＴＴＩのみでＤＭＲＳ共有が適用され、ｎｏｎ−ＭＢＳＦＮサブフレーム又はＣＲＳ基盤の送信モードが設定されるＴＴＩではＤＭＲＳ共有が適用されないことができる。
【０１４１】
又は、上述したように、データ繰り返し送信と共に参照信号の共有が行われる場合は、データが繰り返し送信されるＴＴＩが全部同一のサブフレーム内に限定的に位置するように定義することができる。サブフレーム境界を基準として前後のサブフレームが同じ送信モードに設定された場合に限って参照信号共有が適用されることができ、サブフレーム境界を基準として送信モードが変更される場合は、以前のサブフレームに設定された送信モードで送信される参照信号を次のサブフレームにも送信する。例えば、ＤＭＲＳ基盤の送信モードに設定されたサブフレームからＣＲＳ基盤の送信モードに設定されたサブフレームに変更される場合、ＣＲＳ基盤の送信モードに設定されたサブフレームでもＤＭＲＳを送信する。
【０１４２】
一方、ＰＣＦＩＣＨ(Ｐｈｙｓｉｃａｌ ｃｏｎｔｒｏｌ Ｆｏｒｍａｔ Ｉｎｄｉｃａｔｏｒ Ｃｈａｎｎｅｌ)のような物理階層シグナリング及び／又はＲＲＣ(ｒａｄｉｏ Ｒｅｓｏｕｒｃｅ ｃｏｎｔｒｏｌ)のような上位階層シグナリングにより指示されたＣＦＩ(ｃｏｎｔｒｏｌ Ｆｏｒｍａｔ Ｉｎｄｉｃａｔｏｒ)値によって、サブフレーム内の１番目のＴＴＩ(例えば、ｓＴＴＩ)がデータ送信用として使用できない場合がある。即ち、ＣＦＩ値によって特定ＴＴＩが制御領域に設定されたシンボルに含まれてデータ送信用として使用できない場合がある。
【０１４３】
この場合は、端末が繰り返し送信の回数をカウントする時、該当ＴＴＩを除いて行うことができる。例えば、ＴＴＩ♯ｎで端末が４回の繰り返し送信回数を指示するＤＣＩを検出した場合、もしＴＴＩ♯ｎ＋１が制御領域に設定されたシンボルに含まれてデータ送信用として使用できないと、端末は該当データの繰り返し送信がＴＴＩ♯ｎ、♯ｎ＋２、♯ｎ＋３、♯ｎ＋４に行われると仮定する。
【０１４４】
この場合、データ送信用として使用できないＴＴＩに対して、上述した実施例においてサブフレーム境界に関する部分と同様に参照信号の共有動作を行うことができる。例えば、ＴＴＩ♯ｎ＋１がデータ送信用として使用できない場合、該当ＴＴＩを基準としてデータが繰り返し送信されるＴＴＩを分け、分けられた各データの繰り返し送信ＴＴＩ内で上述した参照信号の共有適用に関する実施例を適用することができる。
【０１４５】
例えば、参照信号共有が適用されるＴＴＩ数が２個に制限され、データの繰り返し送信回数が４に設定された環境において、例示のようにＴＴＩ♯ｎ＋１がデータ送信用として使用できないと、ＴＴＩ♯ｎ＋１を基準としてデータが繰り返し送信されるＴＴＩが１ＴＴＩ、３ＴＴＩｓに区分される。この場合、１ＴＴＩ／３ＴＴＩｓ内で基本動作を適用して前側の１個のＴＴＩには参照信号が送信されるように構成し、後側の３個のＴＴＩは参照信号共有の制限ＴＴＩ個数に基づいて２個／１個に分けて、各々参照信号が１つずつ送信されることができる。即ち、４回の繰り返し送信のうち、１番目(ＴＴＩ♯ｎ)、２番目(ＴＴＩ♯ｎ＋２)、４番目(ＴＴＩ♯ｎ＋４)のＴＴＩで参照信号が送信されることができる。
【０１４６】
一方、ＰＣＦＩＣＨのような物理階層シグナリング及び／又はＲＲＣのような上位階層シグナリングにより指示されたＣＦＩ値によってサブフレーム内の１番目のＴＴＩ(例えば、ｓＴＴＩ)がデータ送信用として使用できない場合は、端末が繰り返し送信回数カウントを該当ＴＴＩを含めて行うことができる。例えば、ＴＴＩ♯ｎで端末が４回の繰り返し送信回数を指示するＤＣＩを検出した場合、もしＴＴＩ♯ｎ＋１が制御領域に設定されたシンボルに含まれてデータ送信用として使用できないと、端末は該当データの繰り返し送信がＴＴＩ♯ｎ、♯ｎ＋２、♯ｎ＋３のみで行われると仮定することができる。
【０１４７】
この場合、参照信号の共有はＴＴＩ♯ｎ、♯ｎ＋２、♯ｎ＋３を基準として適用される。例えば、ＴＴＩ♯ｎ＋１を基準としてデータが繰り返し送信されるＴＴＩが１ＴＴＩ／２ＴＴＩｓに区分され、前側の１つのＴＴＩ(ＴＴＩ♯ｎ)で参照信号が送信され、後側の２つのＴＴＩ(ＴＴＩ♯ｎ＋２、ＴＴＩ♯ｎ＋３)のうちではＴＴＩ♯ｎ＋２で参照信号が送信されることができる。
【０１４８】
また特定ＴＴＩで送信されるＤＣＩが、該当ＴＴＩを含めて、続いて送信される連続する(或いは不連続する)ＴＴＩで繰り返し送信されるデータをスケジュールするように動作するか、又は該当動作を設定する場合、該当ＤＣＩに含まれた参照信号の共有関連フィールド値によって該当ＤＣＩが送信されたＴＴＩを始めとした以後のＴＴＩでの参照信号の共有有無又は参照信号の共有パターンが決定される。これは、該当ＤＣＩに含まれた参照信号の共有関連フィールド値によってデータが繰り返し送信されるＴＴＩに適用される参照信号の共有パターンが決定されるものと解釈でき、該当ＤＣＩが送信されるＴＴＩで参照信号の共有関連フィールド値によって該当ＴＴＩでの参照信号の共有有無が決定され、該当フィールド値に対応して以後のＴＴＩでの参照信号の共有有無或いは参照信号の共有パターンが決定されるものとも解釈できる。
【０１４９】
参照信号の共有有無又は参照信号の共有パターンの場合、該当フィールドのサイズに対応する個数及び／又はデータ繰り返し送信回数の各々について、システムに予め定義するか又は基地局が端末に上位階層シグナリング及び／又は物理階層シグナリングにより指示することができる。例えば、参照信号の共有関連フィールドのサイズが１ビットである場合、２個の参照信号パターンがデータの繰り返し送信回数の各々についてシステムに予め定義されるか、又は基地局が端末に上位階層シグナリング及び／又は物理階層シグナリングにより指示することができ、該当フィールドの復号結果によって対応するパターンでデータの繰り返し送信の間に参照信号の共有パターンが決定される。
【０１５０】
例えば、復号結果、該当フィールドに‘０’値が送信された場合、該当ＤＣＩがスケジュールするデータ繰り返し送信の全体で参照信号の共有を適用せず、データが繰り返し送信される全てのＴＴＩで参照信号を送信する。反面、該当フィールドに‘１’値が送信された場合は、システムに予め定義されたか又は基地局が端末に上位階層シグナリング及び／又は物理階層シグナリングにより指示した参照信号の共有パターンが、データが繰り返し送信されるＴＴＩに適用される。もし基地局が制御チャネルの信頼性を増加させるために、同じデータの繰り返し送信を指示するＤＣＩを多数のＴＴＩで多数送信することができるが、この場合は、ＤＣＩが同じデータ繰り返し送信をスケジュールしても、ＤＣＩが送信されるＴＴＩの位置によって互いに異なるパターンを指示する必要がある。即ち、データが繰り返し送信される間に送信される参照信号の絶対的な位置は固定されても、ＤＣＩが送信されるＴＴＩ位置によって該当参照信号の送信パターン(即ち、参照信号の共有パターン)を異なるように指示する必要がある。この場合、ＤＣＩ内の該当フィールドで指示される値によって参照信号の共有が適用されないように指示するか、又はＤＣＩ送信位置によって互いに異なる参照信号の共有パターンを指示することができる。
【０１５１】
多数のＴＴＩにわたって繰り返し送信されるデータをスケジュールするＤＣＩが送信される１番目のＴＴＩで該当ＤＣＩの参照信号の共有関連フィールド値によって動作し、該当フィールド値によって以後のＴＴＩで繰り返し送信されるデータのために適用される参照信号の共有有無又は参照信号の共有パターンが決定される。例えば、該当フィールド値が‘０’であると、該当ＴＴＩに参照信号が送信されず、以前のＴＴＩで送信される参照信号を共有し、該当フィールド値が‘１’であると、参照信号の共有が適用されず、該当ＴＴＩに参照信号が送信される。又は以後のＴＴＩで繰り返し送信されるデータのための参照信号の共有有無又は参照信号の共有パターンは、システムに予め定義されるか又は基地局から端末に上位階層シグナリング及び／又は物理階層シグナリングにより指示することができる。
【０１５２】
もし繰り返し送信されるデータの１番目のＴＴＩに送信されるＤＣＩの参照信号の共有関連フィールド値が‘１’であると、該当ＴＴＩで参照信号が送信され、その後の２番目のＴＴＩで繰り返し送信されるデータが２番目のＴＴＩに存在すると、該当２番目のＴＴＩでは参照信号が送信されず、１番目のＴＴＩの参照信号を共有し、その後に繰り返し送信されるデータが存在する３番目のＴＴＩでは参照信号が送信され、その後の繰り返し送信されるデータが存在する４番目のＴＴＩでは参照信号を送信せず、３番目のＴＴＩの参照信号を共有するなどのような様々な方式で参照信号を共有できる。即ち、参照信号がデータが繰り返し送信されるＴＴＩに対して１つずつ飛び越えて送信されるように設定し、該当設定によって参照信号を共有することができる。
【０１５３】
上記例示において、参照信号が送信される間隔は、システムに予め定義されるか又は基地局が端末に上位階層シグナリング及び／又は物理階層シグナリングにより指示した参照信号の共有単位によって様々に構成される。
【０１５４】
一方、参照信号共有はチャネル推定性能に影響を及ぼすが、ＳＮＲ/ＳＩＮＲのような端末のチャネル環境によってチャネル推定の影響が変化する。従って、ターゲットＱｏＳ要求事項或いは端末のＳＮＲ/ＳＩＮＲなどのような状況によって、基地局が参照信号の共有適用有無を端末に上位階層シグナリング及び／又は物理階層シグナリングにより指示することができる。この時、参照信号共有が未適用されるように設定する場合は、参照信号関連のＤＣＩフィールドに第１値(例えば、‘１’)を送信することにより参照信号がデータが繰り返し送信される全てのＴＴＩで送信されることができ、参照信号の共有が適用されるように設定する場合には、該当フィールドに第２値(例えば、‘０’)を送信することにより参照信号が送信される参照信号の共有パターンを指示することができる。又は参照信号の共有有無に対して特に設定せず、ＤＣＩの該当フィールドに送信される値によって暗黙的に参照信号の共有有無が決定されることができる。この時、参照信号の共有パターンはシステムに予め定義されるか、又は基地局が端末に上位階層シグナリング及び／又は物理階層シグナリングにより指示することができる。
【０１５５】
但し、基地局が制御チャネルの信頼性を高めるために同じデータの繰り返し送信を指示するＤＣＩを多数のＴＴＩで多数送信することができるが、この場合は、ＤＣＩが同じデータの繰り返し送信をスケジュールしても、ＤＣＩが送信されるＴＴＩの位置によって互いに異なる参照信号の共有パターンを指示する必要がある。従って、システムで予め参照信号の共有パターンを定義すると、ＤＣＩの送信位置に関係なく決定できる。即ち、端末のスケジューリングに依存性(ｄｅｐｅｎｄｅｎｃｙ)を有さないように参照信号の共有パターンを決定することができる。
【０１５６】
この場合、ＴＴＩのインデックスによって送信有無が決定される。例えば、ＬＴＥ ｓＴＴＩシステムにおいて、ＬＴＥサブフレーム内のｓＴＴＩ＃０、１、２、３、４、５の６個のＴＴＩが構成されることができる。この時、ｓＴＴＩ＃０の場合、ＣＦＩの設定によって該当ＴＴＩをデータ送信用として使用できない場合があるので、ｓＴＴＩ＃１、３、５がデータ繰り返し送信に対応する場合、該当ＴＴＩで参照信号を送信し、ｓＴＴＩ＃０、２、４にデータ繰り返し送信が対応する場合には、ＴＴＩ＃１、３、５の参照信号を共有する。
【０１５７】
この時、参照信号が送信されず共有するＴＴＩは、参照信号が送信されるＴＴＩの以前のＴＴＩ或いは以後のＴＴＩであり、これは予め定義できる。例えば、データの繰り返し送信がｓＴＴＩ＃０、１、２、３にわたって送信される場合、参照信号はｓＴＴＩ＃１、３のみで送信され、ｓＴＴＩ＃０、２で送信されるデータは各々ｓＴＴＩ＃１、３で送信される参照信号を共有することができる。さらに他の例として、データの繰り返し送信がｓＴＴＩ＃１、２、３、４にわたって送信される場合、参照信号はｓＴＴＩ＃１、３のみで送信され、ｓＴＴＩ＃２、４で送信されるデータは各々ｓＴＴＩ＃１、３で送信される参照信号を共有することができる。この時、参照信号の共有有無はシステムに予め定義されるか、又は基地局が端末に上位階層シグナリング及び／又は物理階層シグナリングにより指示することができる。例えば、ＤＣＩフィールドにより参照信号の共有関連フィールドに１が送信される場合、参照信号の共有が適用されず、全てのＴＴＩで参照信号が送信され、該当フィールドに０が送信される場合には、上記実施例によって参照信号が共有される。
【０１５８】
なお、参照信号の共有が設定されたが、ＤＣＩにより参照信号の共有が無効になった(ｄｉｓａｂｌｅ)場合、端末はＤＭＲＳが繰り返し送信される毎ＴＴＩごとに送信されると仮定し、またデータが繰り返し送信される間に時間ドメインでプリコーディングが同一であると仮定できる。即ち、データの繰り返し送信が有効になった(ｅｎａｂｌｅ)場合は、参照信号の共有フィールド値が‘１’であると、時間ドメインのプリコーディング(ｔｉｍｅ−ｄｏｍａｉｎ ｐｒｅｃｏｄｉｎｇ)を有効にし、参照信号の共有フィールド値が‘０’であると、参照信号の共有(即ち、ＤＭＲＳ共有)を有効にして使用することができる。但し、時間ドメインのプリコーディングを参照信号の共有(即ち、ＤＭＲＳ共有)とは別に有効に／無効にすることも考えることができる。
【０１５９】
図１９は本発明の実施例による無線通信装置の一実施例を示す。
【０１６０】
図１９に示す無線通信装置は、本発明の実施例による端末及び／又は基地局を示す。しかし、図１９の無線通信装置は、本実施例による端末及び／又は基地局に限られず、車両通信システム又は装置、ウェアラブル(ｗｅａｒａｂｌｅ)装置、ラップトップ、スマートホンなどの様々な装置に取り替えられることができる。
【０１６１】
図１９を参照すると、本発明の実施例による端末及び／又は基地局は、デジタル信号プロセッサ(Ｄｉｇｉｔａｌ Ｓｉｇｎａｌ Ｐｒｏｃｅｓｓｏｒ；ＤＳＰ)又はマイクロプロセッサのような少なくとも１つのプロセッサ１０、トランシーバー３５、電力管理モジュール５、アンテナ４０、バッテリー５５、ディスプレー１５、キーパッド２０、メモリ３０、加入者識別モジュール（ＳＩＭ）カード２５、スピーカ４５及びマイクロホン５０などを含む。また端末及び／又は基地局は単一アンテナ又は多重アンテナを含む。一方、トランシーバー３５は、ＲＦモジュール(Ｒａｄｉｏ Ｆｒｅｑｕｅｎｃｙ Ｍｏｄｕｌｅ)とも呼ばれる。
【０１６２】
プロセッサ１０は、図１乃至図１８に説明された機能、手順及び／又は方法を具現するように構成される。図１乃至図１８に説明された実施例のうち少なくとも一部において、プロセッサ１０は、無線インターフェースプロトコルの層(例えば、機能層)のような１つ以上のプロトコルを具現することができる。
【０１６３】
メモリ３０は、プロセッサ１０に接続されてプロセッサ１０の動作に関する情報を記憶する。メモリ３０は、プロセッサ１０の内部又は外部に位置し、有線又は無線通信のような様々な技術によってプロセッサに接続される。
【０１６４】
ユーザはキーパッド２０のボタンを押すことで、又はマイクロホン５０を用いた音声活性化のような様々な技術による様々なタイプの情報(例えば、電話番号のような指示情報)を入力することができる。プロセッサ１０は、ユーザの情報を受信及び／又は処理して、電話番号をダイヤルするなどの適宜な機能を行う。
【０１６５】
また、適宜な機能を行うために、ＳＩＭカード２５又はメモリ３０からデータ(例えば、操作データ)を検索することもできる。プロセッサ１０は、ＧＰＳチップからＧＰＳ情報を受信及び処理して、カーナビゲーション、マップサービスなどのような端末及び／又は基地局の位置情報を得るか又は位置情報に関する機能を行う。またプロセッサ１０は、ユーザの参照及び便宜のために、このような様々なタイプの情報及びデータをディスプレー１５上に表示してもよい。
【０１６６】
トランシーバー３５はプロセッサ１０に接続されて、ＲＦ(Ｒａｄｉｏ Ｆｒｅｑｕｅｎｃｙ)信号のような無線信号を送信及び／又は受信する。この時、プロセッサ１０は、通信を開始して、音声通信データのような様々なタイプの情報又はデータを含む無線信号を送信するように、トランシーバー３５を制御する。トランシーバー３５は、無線信号を受信する受信機及び送信する送信機を含む。アンテナ４０は、無線信号の送信及び受信を容易にする。一部の実施例において、無線信号を受信すると、トランシーバー３５はプロセッサ１０による処理のために、基底帯域周波数に信号フォワードして変換することができる。処理された信号は、可聴又は読み込み可能な情報に変換されるなど、様々な技術によって処理され、この信号はスピーカ４５を介して出力されることができる。
【０１６７】
一部の実施例において、センサ又はプロセッサ１０に接続されてもよい。センサは、速度、加速度、光、振動などを含む様々なタイプの情報が検出できるように構成された１つ以上の検知装置を含む。近接、位置、イメージなどのようにセンサから得られたセンサ情報をプロセッサ１０が受信して処理することで、衝突回避、自律走行などの各種の機能を行うことができる。
【０１６８】
一方、カメラ、ＵＳＢポートなどのような様々な構成要素が端末及び／又は基地局にさらに含まれてもよい。例えば、カメラがプロセッサ１０にさらに接続されてもよく、このカメラは、自律走行、車両安全サービスのような様々なサービスに利用できる。
【０１６９】
このように図１９は端末及び／又は基地局を構成する装置の一実施例に過ぎず、これに限定されるものではない。例えば、キーパッド２０、ＧＰＳ(Ｇｌｏｂａｌ Ｐｏｓｉｔｉｏｎｉｎｇ Ｓｙｓｔｅｍ）チップ、センサ、スピーカ４５及び／又はマイクロホン５０のような一部構成要素は、一部の実施例において端末及び／又は基地局の具現のために除外されてもよい。
【０１７０】
具体的には、本発明の実施例を具現するために、図１９に示した無線通信装置が本発明の実施例による端末である場合の動作について説明する。無線通信装置が本発明の実施例による端末である場合、プロセッサ１０は基地局からデータの繰り返し送信に関する第１情報とデータが繰り返し送信されるＴＴＩで適用される参照信号の共有有無に関する第２情報を受信するようにトランシーバー３５を制御する。この時、第１情報及び第２情報は１つのシグナリングにより共に受信されるか、又は個々のシグナリングにより各々受信される。例えば、第１情報及び第２情報はいずれも１つのＤＣＩにより受信されるか、又は第１情報はＤＣＩにより受信され、第２情報は上位階層シグナリングにより受信されることができる。また第１情報及び第２情報はいずれもＤＣＩにより受信されるが、各々異なるＤＣＩにより受信されることもできる。
【０１７１】
第１情報及び第２情報を受信したプロセッサ１０は、第１情報及び第２情報に基づいて繰り返し送信されるデータを復号することができる。この時、データを復号するために共有された或いは共有されていない参照信号を用いる方法、及び第２情報に含まれた参照信号の共有に関する情報は、この明細書に記載した具体的な実施例に従う。
【０１７２】
一方、本発明の実施例を具現するために、図１９に示した無線通信装置が本発明の実施例による基地局である場合は、プロセッサ１０はデータの繰り返し送信に関する第１情報とデータが繰り返し送信されるＴＴＩで適用される参照信号の共有有無に関する第２情報を送信するようにトランシーバー３５を制御する。この時、第１情報及び第２情報は１つのシグナリングにより共に送信されるか、又は個々のシグナリングにより各々送信される。例えば、第１情報及び第２情報はいずれも１つのＤＣＩにより送信されるか、又は第１情報はＤＣＩにより送信され、第２情報は上位階層シグナリングにより送信されることができる。また第１情報及び第２情報はいずれもＤＣＩにより送信されるが、各々異なるＤＣＩにより送信されることもできる。
【０１７３】
第１情報及び第２情報を送信したプロセッサ１０は、第１情報及び第２情報に基づいて繰り返し送信されるデータを複数のＴＴＩで送信するようにトランシーバー３５を制御する。この時、第２情報に基づいて参照信号を複数のＴＴＩの各々にマッピングする方法、及び第２情報に含まれた参照信号の共有に関する情報は、この発明に記載した具体的な実施例に従う。
【０１７４】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１７５】
本文書で基地局によって行われるとした特定動作は、場合によってはその上位ノード(ｕｐｐｅｒ ｏｄｅ)によって行われることもある。すなわち、基地局を含む複数のネットワークノード(ｎｅｔｗｏｒｋ ｎｏｄｅｓ)からなるネットワークにおいて端末との通信のために行われる様々な動作は、基地局又は基地局以外の他のネットワークノードによって行われ得ることは明らかである。基地局は、固定局(ｆｉｘｅｄ ｓｔａｔｉｏｎ)、ＮｏｄｅＢ、ｅＮｏｄｅＢ(ｅＮＢ)、アクセスポイント(ａｃｃｅｓｓ ｐｏｉｎｔ)などの用語にしてもよい。
【０１７６】
本発明に係る実施例は、様々な手段、例えば、ハードウェア、ファームウェア(ｆｉｒｍｗａｒｅ)、ソフトウェア又はそれらの結合などによって具現できる。ハードウェアによる具現では、本発明の一実施例は、１つ又はそれ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現することができる。
【０１７７】
ファームウェアやソフトウェアによる具現では、本発明の一実施例は、上述した機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１７８】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０１７９】
以上のような参照信号を送受信する方法及びそのための装置は、３ＧＰＰ ＬＴＥシステムに適用される例を中心として説明したが、３ＧＰＰ ＬＴＥシステム以外にも様々な無線通信システムに適用することができる。
【図１】
2020529787.tif 000007
【図２（Ａ）】
2020529787.tif 000008
【図２（Ｂ）】
2020529787.tif 000009
【図３】
2020529787.tif 000010
【図４】
2020529787.tif 000011
【図５】
2020529787.tif 000012
【図６】
2020529787.tif 000013
【図７】
2020529787.tif 000014
【図８】
2020529787.tif 000015
【図９】
2020529787.tif 000016
【図１０】
2020529787.tif 000017
【図１１】
2020529787.tif 000018
【図１２（ａ）】
2020529787.tif 000019
【図１２（ｂ）】
2020529787.tif 000020
【図１３】
2020529787.tif 000021
【図１４】
2020529787.tif 000022
【図１５】
2020529787.tif 000023
【図１６】
2020529787.tif 000024
【図１７】
2020529787.tif 000025
【図１８】
2020529787.tif 000026
【図１９】
2020529787.tif 000027
【国際調査報告】
2020529787.tif 000028
2020529787.tif 000029
2020529787.tif 000030
2020529787.tif 000031